(57)【要約】【課題】不用意に詳細な位置情報が開示されてしまうことを防止することができる、位置情報提供システム、サーバ装置、端末装置、位置情報提供方法、および、プログラムを提供することを課題とする。【解決手段】本発明は、複数の端末装置のうち第１の端末装置から現在位置情報とともに地図表示要求を受信した場合に、受信した現在位置情報を含む地図データを取得し、予め記憶する複数の端末装置の現在位置情報に基づいて、取得した地図データの領域内に当該現在位置情報による位置が含まれる、第２の端末装置を特定し、取得した地図データ上で、第２の端末装置の現在位置情報をあいまいに特定する曖昧位置情報を作成し、曖昧位置情報と地図データとを共に、第１の端末装置に送信することにより、第１の端末装置において第２の端末装置の曖昧位置情報を表示させる。【選択図】図１
2014079010.tif 000002
【特許請求の範囲】
【請求項１】
制御部と記憶部とを少なくとも備えたサーバ装置、および、表示部と制御部とを少なくとも備えた複数の端末装置、を通信可能に接続した位置情報提供システムであって、
上記サーバ装置の上記記憶部は、
地図データを記憶する地図データ記憶手段と、
上記複数の上記端末装置から受信した現在位置情報を記憶する現在位置情報記憶手段と、
を備え、
上記サーバ装置の上記制御部は、
上記複数の上記端末装置のうち第１の上記端末装置から送信される、地図表示要求を受信する地図表示要求受信手段と、
上記地図表示要求受信手段により受信された上記地図表示要求に基づいて上記地図データを上記地図データ記憶手段から取得する地図データ取得手段と、
上記地図データ取得手段により取得された上記地図データの領域内に上記現在位置情報による位置が含まれる、第２の上記端末装置の当該現在位置情報による位置をあいまいに特定する曖昧位置情報を作成する曖昧位置情報作成手段と、
上記曖昧位置情報と上記地図データとを共に、上記第１の上記端末装置に送信する地図データ送信手段と、
を備え、
上記第１の上記端末装置の上記制御部は、
上記地図表示要求を上記サーバ装置に送信する地図表示要求送信手段と、
上記サーバ装置から送信される、上記曖昧位置情報と上記地図データを受信する地図データ受信手段と、
上記地図データ受信手段により受信された上記曖昧位置情報と上記地図データを上記表示部に表示させる地図表示手段と、
を備えたことを特徴とする、位置情報提供システム。
【請求項２】
請求項１に記載の位置情報提供システムにおいて、
上記曖昧位置情報作成手段は、
上記第１の上記端末装置と上記第２の上記端末装置の関係に基づいて、上記曖昧位置情報における上記現在位置情報による位置からの誤差範囲、または、上記曖昧位置情報を作成するか否か、を決定することを特徴とする、位置情報提供システム。
【請求項３】
請求項１または２に記載の位置情報提供システムにおいて、
上記曖昧位置情報作成手段は、
上記第２の端末装置による承認の有無に基づいて、上記曖昧位置情報における上記現在位置情報による位置からの誤差範囲、または、上記曖昧位置情報を作成するか否か、を決定することを特徴とする、位置情報提供システム。
【請求項４】
請求項３に記載の位置情報提供システムにおいて、
上記サーバ装置の上記制御部は、
上記第１の上記端末装置から送信される、上記地図データ送信手段により送信された上記地図データの上記曖昧位置情報についての詳細位置要求を受信する詳細位置要求受信手段と、
上記詳細位置要求受信手段により上記詳細位置要求が受信された場合に、当該詳細位置要求に対する可否についての問合せ情報を、上記第２の上記端末装置に送信する問合せ情報送信手段と、
上記第２の上記端末装置から送信される、上記問合せ情報に対する回答情報を受信する回答情報受信手段と、
上記回答情報受信手段により上記詳細位置要求に対して可とする上記回答情報が受信された場合に、上記第２の上記端末装置の上記現在位置情報を特定した詳細位置情報を作成する詳細位置情報作成手段と、
を備え、
上記地図データ送信手段は、上記詳細位置情報と上記地図データとを共に、上記第１の上記端末装置に送信し、
上記第１の上記端末装置の上記制御部は、
上記詳細位置要求を上記サーバ装置に送信する詳細位置要求送信手段、
を更に備え、
上記第２の上記端末装置の上記制御部は、
上記サーバ装置から送信される、上記問合せ情報を受信する問合せ情報受信手段と、
上記問合せ情報受信手段により受信された上記問合せ情報に対する上記回答情報を作成する回答情報作成手段と、
上記回答情報作成手段により作成された上記回答情報を上記サーバ装置に送信する回答情報送信手段と、
を更に備えたことを特徴とする、位置情報提供システム。
【請求項５】
請求項１から４のいずれか一つに記載の位置情報提供システムにおいて、
上記サーバ装置の上記記憶部は、
上記複数の上記端末装置の識別情報を関連付けた関連付け情報を記憶する関連付け情報記憶手段、
を更に備え、
上記領域内端末特定手段は、
上記関連付け情報記憶手段に記憶された上記関連付け情報に基づいて、上記第１の上記端末装置の上記識別情報に、他の上記端末装置の上記識別情報が関連付けられている場合に、上記地図データ取得手段により取得された上記地図データの領域内に上記現在位置情報による位置が含まれる上記他の上記端末装置を、上記第２の上記端末装置として特定することを特徴とする、位置情報提供システム。
【請求項６】
請求項１から５のいずれか一つに記載の位置情報提供システムにおいて、
上記曖昧位置情報作成手段は、
上記地図データ取得手段により取得された上記地図データ上で、上記第２の上記端末装置の上記現在位置情報による位置を含むポリゴン領域を上記曖昧位置情報として作成することを特徴とする、位置情報提供システム。
【請求項７】
請求項６に記載の位置情報提供システムにおいて、
上記曖昧位置情報作成手段は、
上記第２の上記端末装置の上記現在位置情報による位置が、上記ポリゴン領域の中心以外に位置するように、上記曖昧位置情報を作成することを特徴とする、位置情報提供システム。
【請求項８】
請求項６に記載の位置情報提供システムにおいて、
上記曖昧位置情報作成手段は、
上記ポリゴン領域の中心以外のランダムな位置を、上記第２の上記端末装置の上記現在位置情報による位置とする上記曖昧位置情報を作成することを特徴とする、位置情報提供システム。
【請求項９】
請求項１に記載の位置情報提供システムにおいて、
上記曖昧位置情報作成手段は、
上記地図データ取得手段により取得された上記地図データ上で、上記第１の上記端末装置の上記現在位置情報と上記第２の上記端末装置の上記現在位置情報との位置関係により、大きさを変更したポリゴン領域を上記曖昧位置情報として作成することを特徴とする、位置情報提供システム。
【請求項１０】
請求項１に記載の位置情報提供システムにおいて、
上記曖昧位置情報作成手段は、
上記地図データ取得手段により取得された上記地図データ上で、上記第２の上記端末装置の上記現在位置情報による位置を含む行政界を示すポリゴン領域を上記曖昧位置情報として作成することを特徴とする、位置情報提供システム。
【請求項１１】
請求項１に記載の位置情報提供システムにおいて、
上記曖昧位置情報作成手段は、
上記地図データ取得手段により取得された上記地図データ上で、上記第２の上記端末装置の上記現在位置情報による位置を含むブロックを示すポリゴン領域を上記曖昧位置情報として作成することを特徴とする、位置情報提供システム。
【請求項１２】
請求項６から１１のいずれか一つに記載の位置情報提供システムにおいて、
上記曖昧位置情報作成手段は、
上記地図データ取得手段により取得された上記地図データ上で、上記ポリゴン領域内のランドマークが強調表示されるように指定する上記曖昧位置情報を作成することを特徴とする、位置情報提供システム。
【請求項１３】
請求項１に記載の位置情報提供システムにおいて、
上記曖昧位置情報作成手段は、
上記地図データ取得手段により取得された上記地図データ上で、上記第１の上記端末装置の上記現在位置情報による位置から、上記第２の上記端末装置の上記現在位置情報による位置への方向を矢印で示す上記曖昧位置情報を作成することを特徴とする、位置情報提供システム。
【請求項１４】
請求項１に記載の位置情報提供システムにおいて、
上記サーバ装置の上記制御部は、
上記現在位置情報記憶手段に記憶された上記複数の上記端末装置の上記現在位置情報に基づいて、上記地図データ取得手段により取得された上記地図データの領域内に当該現在位置情報による位置が含まれる、第２の上記端末装置を特定する領域内端末特定手段、
を更に備えたことを特徴とする、位置情報提供システム。
【請求項１５】
地図データを記憶する地図データ記憶手段と、
複数の端末装置から受信した現在位置情報を記憶する現在位置情報記憶手段と、
上記地図データを上記地図データ記憶手段から取得する地図データ取得手段と、
上記地図データ取得手段により取得された上記地図データの領域内に上記現在位置情報による位置が含まれる、第２の上記端末装置の当該現在位置情報による位置をあいまいに特定する曖昧位置情報を作成する曖昧位置情報作成手段と、
上記曖昧位置情報作成手段により作成された上記曖昧位置情報を上記地図データ上で表示部に表示させる地図表示手段と、
を備えたことを特徴とする、位置情報提供システム。
【請求項１６】
表示部と制御部とを少なくとも備えた複数の端末装置に通信可能に接続された、制御部と記憶部とを少なくとも備えたサーバ装置であって、
上記サーバ装置の上記記憶部は、
地図データを記憶する地図データ記憶手段と、
上記複数の上記端末装置の現在位置情報を記憶する現在位置情報記憶手段と、
を備え、
上記サーバ装置の上記制御部は、
上記複数の上記端末装置のうち第１の上記端末装置から送信される、地図表示要求を受信する地図表示要求受信手段と、
上記地図表示要求に基づいて上記地図データを上記地図データ記憶手段から取得する地図データ取得手段と、
上記地図データ取得手段により取得された上記地図データの領域内に上記現在位置情報による位置が含まれる、第２の上記端末装置の当該現在位置情報による位置をあいまいに特定する曖昧位置情報を作成する曖昧位置情報作成手段と、
上記曖昧位置情報作成手段により作成された上記曖昧位置情報を含む上記地図データに基づく表示画面を生成する地図表示画面生成手段と、
上記表示画面を含む表示制御情報を上記第１の上記端末装置に送信することにより、当該端末装置の上記表示部を介して上記表示画面を表示させる表示制御手段と、
を備えたことを特徴とする、サーバ装置。
【請求項１７】
制御部と記憶部とを少なくとも備えたサーバ装置に通信可能に接続された、表示部と制御部とを少なくとも備えた端末装置であって、
上記サーバ装置の上記記憶部は、
地図データを記憶する地図データ記憶手段と、
複数の上記端末装置から受信した現在位置情報を記憶する現在位置情報記憶手段と、
を備え、
上記端末装置の上記制御部は、
上記地図表示要求を上記サーバ装置に送信する地図表示要求送信手段と、
上記地図表示要求送信手段により送信された上記地図表示要求に基づいて上記地図データ記憶手段から取得された上記地図データの領域内に上記現在位置情報による位置が含まれる、他の上記端末装置の当該現在位置情報による位置をあいまいに特定する曖昧位置情報と当該地図データとを共に、上記サーバ装置から受信する地図データ受信手段と、
上記地図データ受信手段により受信された上記曖昧位置情報と上記地図データを上記表示部に表示させる地図表示手段と、
を備えたことを特徴とする、端末装置。
【請求項１８】
位置情報提供システムにおいて実行される位置情報提供方法であって、
上記位置情報提供システムは、
地図データを記憶する地図データ記憶手段と、複数の端末装置から受信した現在位置情報を記憶する現在位置情報記憶手段と、地図データ取得手段と、領域内端末特定手段と、曖昧位置情報作成手段と、地図表示手段と、
を備え、
上記地図データ取得手段が、上記地図データを上記地図データ記憶手段から取得する地図データ取得ステップと、
上記領域内端末特定手段が、上記地図データ取得ステップにて取得された上記地図データの領域内に上記現在位置情報による位置が含まれる、第２の上記端末装置の当該現在位置情報による位置をあいまいに特定する曖昧位置情報を作成する曖昧位置情報作成ステップと、
上記地図表示手段が、上記曖昧位置情報作成ステップにて作成された上記曖昧位置情報を上記地図データ上で表示部に表示させる地図表示ステップと、
を含むことを特徴とする、位置情報提供方法。
【請求項１９】
表示部と制御部とを少なくとも備えた複数の端末装置に通信可能に接続された、制御部と記憶部とを少なくとも備えたサーバ装置において実行される位置情報提供方法であって、
上記サーバ装置の上記記憶部は、
地図データを記憶する地図データ記憶手段と、
上記複数の上記端末装置の現在位置情報を記憶する現在位置情報記憶手段と、
を備え、
上記サーバ装置の上記制御部において実行される、
上記複数の上記端末装置のうち第１の上記端末装置から送信される、地図表示要求を受信する地図表示要求受信ステップと、
上記地図表示要求に基づいて上記地図データを上記地図データ記憶手段から取得する地図データ取得ステップと、
上記地図データ取得ステップにて取得された上記地図データの領域内に上記現在位置情報による位置が含まれる、第２の上記端末装置の当該現在位置情報による位置をあいまいに特定する曖昧位置情報を作成する曖昧位置情報作成ステップと、
上記曖昧位置情報作成ステップにて作成された上記曖昧位置情報を含む上記地図データに基づく表示画面を生成する地図表示画面生成ステップと、
上記表示画面を含む表示制御情報を上記第１の上記端末装置に送信することにより、当該端末装置の上記表示部を介して上記表示画面を表示させる表示制御ステップと、
を含むことを特徴とする、位置情報提供方法。
【請求項２０】
制御部と記憶部とを少なくとも備えたサーバ装置に通信可能に接続された、表示部と制御部とを少なくとも備えた端末装置において実行される位置情報提供方法であって、
上記サーバ装置の上記記憶部は、
地図データを記憶する地図データ記憶手段と、
複数の上記端末装置から受信した現在位置情報を記憶する現在位置情報記憶手段と、
を備え、
上記端末装置の上記制御部において実行される、
上記地図表示要求を上記サーバ装置に送信する地図表示要求送信ステップと、
上記地図表示要求送信ステップにて送信された上記地図表示要求に基づいて上記地図データ記憶手段から取得された上記地図データの領域内に上記現在位置情報による位置が含まれる、他の上記端末装置の当該現在位置情報による位置をあいまいに特定する曖昧位置情報と当該地図データとを共に、上記サーバ装置から受信する地図データ受信ステップと、
上記地図データ受信ステップにて受信された上記曖昧位置情報と上記地図データを上記表示部に表示させる地図表示ステップと、
を含むことを特徴とする、位置情報提供方法。
【請求項２１】
表示部と制御部とを少なくとも備えた複数の端末装置に通信可能に接続された、制御部と記憶部とを少なくとも備えたサーバ装置に実行させるためのプログラムであって、
上記サーバ装置の上記記憶部は、
地図データを記憶する地図データ記憶手段と、
上記複数の上記端末装置の現在位置情報を記憶する現在位置情報記憶手段と、
を備え、
上記サーバ装置の上記制御部において、
上記複数の上記端末装置のうち第１の上記端末装置から送信される、地図表示要求を受信する地図表示要求受信ステップと、
上記地図表示要求に基づいて上記地図データを上記地図データ記憶手段から取得する地図データ取得ステップと、
上記地図データ取得ステップにて取得された上記地図データの領域内に上記現在位置情報による位置が含まれる、第２の上記端末装置の当該現在位置情報による位置をあいまいに特定する曖昧位置情報を作成する曖昧位置情報作成ステップと、
上記曖昧位置情報作成ステップにて作成された上記曖昧位置情報を含む上記地図データに基づく表示画面を生成する地図表示画面生成ステップと、
上記表示画面を含む表示制御情報を上記第１の上記端末装置に送信することにより、当該端末装置の上記表示部を介して上記表示画面を表示させる表示制御ステップと、
を実行させるためのプログラム。
【請求項２２】
制御部と記憶部とを少なくとも備えたサーバ装置に通信可能に接続された、表示部と制御部とを少なくとも備えた端末装置に実行させるためのプログラムであって、
上記サーバ装置の上記記憶部は、
地図データを記憶する地図データ記憶手段と、
複数の上記端末装置から受信した現在位置情報を記憶する現在位置情報記憶手段と、
を備え、
上記端末装置の上記制御部において、
上記地図表示要求を上記サーバ装置に送信する地図表示要求送信ステップと、
上記地図表示要求送信ステップにて送信された上記地図表示要求に基づいて上記地図データ記憶手段から取得された上記地図データの領域内に上記現在位置情報による位置が含まれる、他の上記端末装置の当該現在位置情報による位置をあいまいに特定する曖昧位置情報と当該地図データとを共に、上記サーバ装置から受信する地図データ受信ステップと、
上記地図データ受信ステップにて受信された上記曖昧位置情報と上記地図データを上記表示部に表示させる地図表示ステップと、
を実行させるためのプログラム。
【発明の詳細な説明】
【技術分野】
【０００１】
本発明は、位置情報提供システム、サーバ装置、端末装置、位置情報提供方法、および、プログラムに関する。
【背景技術】
【０００２】
従来、問い合わせに応じて、他者の位置情報を表示するシステムが開発されている。
【０００３】
例えば、特許文献１に記載の車両位置通知システムは、グループに属するいずれかの端末装置から車両位置の通知要求があった際に、当該グループに固有の認証パスワードによる認証が得られた場合には、情報端末が属するグループに予め登録されている対象車両の車両位置を、要求元の情報端末に返送する。
【先行技術文献】
【特許文献】
【０００４】
【特許文献１】特開２００９−３１８８８号公報
【発明の概要】
【発明が解決しようとする課題】
【０００５】
しかしながら、他者の位置情報を表示する従来のシステムにおいては、不用意に詳細な位置情報が開示されてしまう、という問題点を有していた。
【０００６】
例えば、特許文献１に記載の車両位置通知システムにおいては、要求に応じて、対象車両の車両位置を要求元に返送する結果、必要以上に詳細な車両位置が特定されてしまうこととなり、プライバシーを考慮して位置をあいまいにすることができない、という問題点を有していた。
【０００７】
本発明は、上記問題点に鑑みてなされたもので、不用意に詳細な位置情報が開示されてしまうことを防止することができる、位置情報提供システム、サーバ装置、端末装置、位置情報提供方法、および、プログラムを提供することを目的とする。
【課題を解決するための手段】
【０００８】
このような目的を達成するため、本発明の位置情報提供システムは、制御部と記憶部とを少なくとも備えたサーバ装置、および、表示部と制御部とを少なくとも備えた複数の端末装置、を通信可能に接続した位置情報提供システムであって、上記サーバ装置の上記記憶部は、地図データを記憶する地図データ記憶手段と、上記複数の上記端末装置から受信した現在位置情報を記憶する現在位置情報記憶手段と、を備え、上記サーバ装置の上記制御部は、上記複数の上記端末装置のうち第１の上記端末装置から上記現在位置情報とともに送信される、地図表示要求を受信する地図表示要求受信手段と、上記地図表示要求受信手段により上記地図表示要求とともに受信された上記現在位置情報を含む上記地図データを上記地図データ記憶手段から取得する地図データ取得手段と、上記現在位置情報記憶手段に記憶された上記複数の上記端末装置の上記現在位置情報に基づいて、上記地図データ取得手段により取得された上記地図データの領域内に当該現在位置情報による位置が含まれる、第２の上記端末装置を特定する領域内端末特定手段と、上記地図データ取得手段により取得された上記地図データ上で、上記第２の上記端末装置の上記現在位置情報をあいまいに特定する曖昧位置情報を作成する曖昧位置情報作成手段と、上記曖昧位置情報作成手段により作成された上記曖昧位置情報と上記地図データとをともに、上記第１の上記端末装置に送信する地図データ送信手段と、を備え、上記第１の上記端末装置の上記制御部は、上記現在位置情報とともに上記地図表示要求を上記サーバ装置に送信する地図表示要求送信手段と、上記サーバ装置から送信される、上記曖昧位置情報と上記地図データを受信する地図データ受信手段と、上記地図データ受信手段により受信された上記曖昧位置情報と上記地図データを上記表示部に表示させる地図表示手段と、を備えたことを特徴とする。
【０００９】
また、本発明の位置情報提供システムは、上記記載の位置情報提供システムにおいて、上記曖昧位置情報作成手段は、上記地図データ取得手段により取得された上記地図データ上で、上記第２の上記端末装置の上記現在位置情報による位置を含むポリゴン領域を上記曖昧位置情報として作成することを特徴とする。
【００１０】
また、本発明の位置情報提供システムは、上記記載の位置情報提供システムにおいて、上記曖昧位置情報作成手段は、上記第２の上記端末装置の上記現在位置情報による位置が、上記ポリゴン領域の中心以外に位置するように、上記曖昧位置情報を作成することを特徴とする。
【００１１】
また、本発明の位置情報提供システムは、上記記載の位置情報提供システムにおいて、上記曖昧位置情報作成手段は、上記ポリゴン領域の中心以外のランダムな位置を、上記第２の上記端末装置の上記現在位置情報による位置とする上記曖昧位置情報を作成することを特徴とする。
【００１２】
また、本発明の位置情報提供システムは、上記記載の位置情報提供システムにおいて、上記曖昧位置情報作成手段は、上記地図データ取得手段により取得された上記地図データ上で、上記第１の上記端末装置の上記現在位置情報と上記第２の上記端末装置の上記現在位置情報との位置関係により、大きさを変更したポリゴン領域を上記曖昧位置情報として作成することを特徴とする。
【００１３】
また、本発明の位置情報提供システムは、上記記載の位置情報提供システムにおいて、上記曖昧位置情報作成手段は、上記地図データ取得手段により取得された上記地図データ上で、上記第２の上記端末装置の上記現在位置情報による位置を含む行政界を示すポリゴン領域を上記曖昧位置情報として作成することを特徴とする。
【００１４】
また、本発明の位置情報提供システムは、上記記載の位置情報提供システムにおいて、上記曖昧位置情報作成手段は、上記地図データ取得手段により取得された上記地図データ上で、上記第２の上記端末装置の上記現在位置情報による位置を含むブロックを示すポリゴン領域を上記曖昧位置情報として作成することを特徴とする。
【００１５】
また、本発明の位置情報提供システムは、上記記載の位置情報提供システムにおいて、上記曖昧位置情報作成手段は、上記地図データ取得手段により取得された上記地図データ上で、上記ポリゴン領域内のランドマークが強調表示されるように指定する上記曖昧位置情報を作成することを特徴とする。
【００１６】
また、本発明の位置情報提供システムは、上記記載の位置情報提供システムにおいて、上記曖昧位置情報作成手段は、上記地図データ取得手段により取得された上記地図データ上で、上記第１の上記端末装置の上記現在位置情報による位置から、上記第２の上記端末装置の上記現在位置情報による位置への方向を矢印で示す上記曖昧位置情報を作成することを特徴とする。
【００１７】
また、本発明の位置情報提供システムは、上記記載の位置情報提供システムにおいて、上記サーバ装置の上記制御部は、上記第１の上記端末装置から送信される、上記地図データ送信手段により送信された上記地図データの上記曖昧位置情報についての詳細位置要求を受信する詳細位置要求受信手段と、上記詳細位置要求受信手段により上記詳細位置要求が受信された場合に、当該詳細位置要求に対する可否についての問合せ情報を、上記第２の上記端末装置に送信する問合せ情報送信手段と、上記第２の上記端末装置から送信される、上記問合せ情報に対する回答情報を受信する回答情報受信手段と、上記回答情報受信手段により上記詳細位置要求に対して可とする上記回答情報が受信された場合に、上記第２の上記端末装置の上記現在位置情報を特定した詳細位置情報を作成する詳細位置情報作成手段と、を備え、上記地図データ送信手段は、上記詳細位置情報作成手段により上記詳細位置情報と上記地図データとを共に、上記第１の上記端末装置に送信し、上記第１の上記端末装置の上記制御部は、上記詳細位置要求を上記サーバ装置に送信する詳細位置要求送信手段、を更に備え、上記第２の上記端末装置の上記制御部は、上記サーバ装置から送信される、上記問合せ情報を受信する問合せ情報受信手段と、上記問合せ情報受信手段により受信された上記問合せ情報に対する上記回答情報を作成する回答情報作成手段と、上記回答情報作成手段により作成された上記回答情報を上記サーバ装置に送信する回答情報送信手段と、を更に備えたことを特徴とする。
【００１８】
また、本発明の位置情報提供システムは、上記記載の位置情報提供システムにおいて、上記サーバ装置の上記記憶部は、上記複数の上記端末装置の識別情報を関連付けた関連付け情報を記憶する関連付け情報記憶手段、を更に備え、上記領域内端末特定手段は、上記関連付け情報記憶手段に記憶された上記関連付け情報に基づいて、上記第１の上記端末装置の上記識別情報に、他の上記端末装置の上記識別情報が関連付けられている場合に、上記地図データ取得手段により取得された上記地図データの領域内に上記現在位置情報による位置が含まれる上記他の上記端末装置を、上記第２の上記端末装置として特定することを特徴とする。
【００１９】
また、本発明の位置情報提供システムは、地図データを記憶する地図データ記憶手段と、複数の端末装置から受信した現在位置情報を記憶する現在位置情報記憶手段と、上記複数の上記端末装置のうち第１の上記端末装置の上記現在位置情報を含む上記地図データを上記地図データ記憶手段から取得する地図データ取得手段と、上記現在位置情報記憶手段に記憶された上記複数の上記端末装置の上記現在位置情報に基づいて、上記地図データ取得手段により取得された上記地図データの領域内に当該現在位置情報による位置が含まれる、第２の上記端末装置を特定する領域内端末特定手段と、上記地図データ取得手段により取得された上記地図データ上で、上記第２の上記端末装置の上記現在位置情報をあいまいに特定する曖昧位置情報を作成する曖昧位置情報作成手段と、上記曖昧位置情報作成手段により作成された上記曖昧位置情報を上記地図データ上で表示部に表示させる地図表示手段と、を備えたことを特徴とする。
【００２０】
また、本発明のサーバ装置は、表示部と制御部とを少なくとも備えた複数の端末装置に通信可能に接続された、制御部と記憶部とを少なくとも備えたサーバ装置であって、上記サーバ装置の上記記憶部は、地図データを記憶する地図データ記憶手段と、上記複数の上記端末装置から受信した現在位置情報を記憶する現在位置情報記憶手段と、を備え、上記サーバ装置の上記制御部は、上記複数の上記端末装置のうち第１の上記端末装置から上記現在位置情報とともに送信される、地図表示要求を受信する地図表示要求受信手段と、上記地図表示要求受信手段により上記地図表示要求とともに受信された上記現在位置情報を含む上記地図データを上記地図データ記憶手段から取得する地図データ取得手段と、上記現在位置情報記憶手段に記憶された上記複数の上記端末装置の上記現在位置情報に基づいて、上記地図データ取得手段により取得された上記地図データの領域内に当該現在位置情報による位置が含まれる、第２の上記端末装置を特定する領域内端末特定手段と、上記地図データ取得手段により取得された上記地図データ上で、上記第２の上記端末装置の上記現在位置情報をあいまいに特定する曖昧位置情報を作成する曖昧位置情報作成手段と、上記曖昧位置情報作成手段により上記曖昧位置情報と上記地図データとを共に、上記第１の上記端末装置に送信する地図データ送信手段と、を備えたことを特徴とする。
【００２１】
また、本発明のサーバ装置は、表示部と制御部とを少なくとも備えた複数の端末装置に通信可能に接続された、制御部と記憶部とを少なくとも備えたサーバ装置であって、上記サーバ装置の上記記憶部は、地図データを記憶する地図データ記憶手段と、上記複数の上記端末装置の現在位置情報を記憶する現在位置情報記憶手段と、を備え、上記サーバ装置の上記制御部は、上記複数の上記端末装置のうち第１の上記端末装置から送信される、地図表示要求を受信する地図表示要求受信手段と、上記第１の上記端末装置の上記現在位置情報を含む上記地図データを上記地図データ記憶手段から取得する地図データ取得手段と、上記現在位置情報記憶手段に記憶された上記複数の上記端末装置の上記現在位置情報に基づいて、上記地図データ取得手段により取得された上記地図データの領域内に当該現在位置情報による位置が含まれる、第２の上記端末装置を特定する領域内端末特定手段と、上記地図データ取得手段により取得された上記地図データ上で、上記第２の上記端末装置の上記現在位置情報をあいまいに特定する曖昧位置情報を作成する曖昧位置情報作成手段と、上記曖昧位置情報作成手段により作成された上記曖昧位置情報を含む上記地図データに基づく表示画面を生成する地図表示画面生成手段と、上記表示画面を含む表示制御情報を上記第１の上記端末装置に送信することにより、当該端末装置の上記表示部を介して上記表示画面を表示させる表示制御手段と、を備えたことを特徴とする。
【００２２】
また、本発明の端末装置は、制御部と記憶部とを少なくとも備えたサーバ装置に通信可能に接続された、表示部と制御部とを少なくとも備えた端末装置であって、上記サーバ装置の上記記憶部は、地図データを記憶する地図データ記憶手段と、複数の上記端末装置から受信した現在位置情報を記憶する現在位置情報記憶手段と、を備え、上記端末装置の上記制御部は、上記現在位置情報とともに上記地図表示要求を上記サーバ装置に送信する地図表示要求送信手段と、上記地図表示要求送信手段により送信された上記現在位置情報に基づいて上記地図データ記憶手段から取得された上記地図データ上で、上記現在位置情報記憶手段に記憶された上記複数の上記端末装置の上記現在位置情報に基づいて、当該地図データの領域内に当該現在位置情報による位置が含まれる、他の上記端末装置の上記現在位置情報をあいまいに特定する曖昧位置情報と当該地図データとを共に、上記サーバ装置から受信する地図データ受信手段と、上記地図データ受信手段により受信された上記曖昧位置情報と上記地図データを上記表示部に表示させる地図表示手段と、を備えたことを特徴とする。
【００２３】
また、本発明の位置情報提供方法は、制御部と記憶部とを少なくとも備えたサーバ装置、および、表示部と制御部とを少なくとも備えた複数の端末装置、を通信可能に接続した位置情報提供システムにおいて実行される位置情報提供方法であって、上記サーバ装置の上記記憶部は、地図データを記憶する地図データ記憶手段と、上記複数の上記端末装置から受信した現在位置情報を記憶する現在位置情報記憶手段と、を備え、上記複数の上記端末装置のうち第１の上記端末装置の上記制御部において実行される、上記現在位置情報とともに上記地図表示要求を上記サーバ装置に送信する地図表示要求送信ステップと、上記サーバ装置の上記制御部において実行される、上記第１の上記端末装置から上記現在位置情報とともに送信される、地図表示要求を受信する地図表示要求受信ステップと、上記サーバ装置の上記制御部において実行される、上記地図表示要求受信ステップにて上記地図表示要求とともに受信された上記現在位置情報を含む上記地図データを上記地図データ記憶手段から取得する地図データ取得ステップと、上記サーバ装置の上記制御部において実行される、上記現在位置情報記憶手段に記憶された上記複数の上記端末装置の上記現在位置情報に基づいて、上記地図データ取得ステップにて取得された上記地図データの領域内に当該現在位置情報による位置が含まれる、第２の上記端末装置を特定する領域内端末特定ステップと、上記サーバ装置の上記制御部において実行される、上記地図データ取得ステップにて取得された上記地図データ上で、上記第２の上記端末装置の上記現在位置情報をあいまいに特定する曖昧位置情報を作成する曖昧位置情報作成ステップと、上記サーバ装置の上記制御部において実行される、上記曖昧位置情報作成ステップにて上記曖昧位置情報と上記地図データとを共に、上記第１の上記端末装置に送信する地図データ送信ステップと、上記第１の上記端末装置の上記制御部において実行される、上記サーバ装置から送信される、上記曖昧位置情報と上記地図データを受信する地図データ受信ステップと、上記第１の上記端末装置の上記制御部において実行される、上記地図データ受信ステップにて受信された上記曖昧位置情報と上記地図データを上記表示部に表示させる地図表示ステップと、を含むことを特徴とする。
【００２４】
また、本発明の位置情報提供方法は、位置情報提供システムにおいて実行される位置情報提供方法であって、上記位置情報提供システムは、地図データを記憶する地図データ記憶手段と、複数の端末装置から受信した現在位置情報を記憶する現在位置情報記憶手段と、地図データ取得手段と、領域内端末特定手段と、曖昧位置情報作成手段と、地図表示手段と、を備え、上記地図データ取得手段が、上記複数の上記端末装置のうち第１の上記端末装置の上記現在位置情報を含む上記地図データを上記地図データ記憶手段から取得する地図データ取得ステップと、上記領域内端末特定手段が、上記現在位置情報記憶手段に記憶された上記複数の上記端末装置の上記現在位置情報に基づいて、上記地図データ取得ステップにて取得された上記地図データの領域内に当該現在位置情報による位置が含まれる、第２の上記端末装置を特定する領域内端末特定ステップと、上記曖昧位置情報作成手段が、上記地図データ取得ステップにて取得された上記地図データ上で、上記第２の上記端末装置の上記現在位置情報をあいまいに特定する曖昧位置情報を作成する曖昧位置情報作成ステップと、上記地図表示手段が、上記曖昧位置情報作成ステップにて作成された上記曖昧位置情報を上記地図データ上で表示部に表示させる地図表示ステップと、を含むことを特徴とする。
【００２５】
また、本発明の位置情報提供方法は、表示部と制御部とを少なくとも備えた複数の端末装置に通信可能に接続された、制御部と記憶部とを少なくとも備えたサーバ装置において実行される位置情報提供方法であって、上記サーバ装置の上記記憶部は、地図データを記憶する地図データ記憶手段と、上記複数の上記端末装置から受信した現在位置情報を記憶する現在位置情報記憶手段と、を備え、上記サーバ装置の上記制御部において実行される、上記複数の上記端末装置のうち第１の上記端末装置から上記現在位置情報とともに送信される、地図表示要求を受信する地図表示要求受信ステップと、上記地図表示要求受信ステップにて上記地図表示要求とともに受信された上記現在位置情報を含む上記地図データを上記地図データ記憶手段から取得する地図データ取得ステップと、上記現在位置情報記憶手段に記憶された上記複数の上記端末装置の上記現在位置情報に基づいて、上記地図データ取得ステップにて取得された上記地図データの領域内に当該現在位置情報による位置が含まれる、第２の上記端末装置を特定する領域内端末特定ステップと、上記地図データ取得ステップにて取得された上記地図データ上で、上記第２の上記端末装置の上記現在位置情報をあいまいに特定する曖昧位置情報を作成する曖昧位置情報作成ステップと、上記曖昧位置情報作成ステップにて上記曖昧位置情報と上記地図データとを共に、上記第１の上記端末装置に送信する地図データ送信ステップと、を含むことを特徴とする。
【００２６】
また、本発明の位置情報提供方法は、表示部と制御部とを少なくとも備えた複数の端末装置に通信可能に接続された、制御部と記憶部とを少なくとも備えたサーバ装置において実行される位置情報提供方法であって、上記サーバ装置の上記記憶部は、地図データを記憶する地図データ記憶手段と、上記複数の上記端末装置の現在位置情報を記憶する現在位置情報記憶手段と、を備え、上記サーバ装置の上記制御部において実行される、上記複数の上記端末装置のうち第１の上記端末装置から送信される、地図表示要求を受信する地図表示要求受信ステップと、上記第１の上記端末装置の上記現在位置情報を含む上記地図データを上記地図データ記憶手段から取得する地図データ取得ステップと、上記現在位置情報記憶手段に記憶された上記複数の上記端末装置の上記現在位置情報に基づいて、上記地図データ取得ステップにて取得された上記地図データの領域内に当該現在位置情報による位置が含まれる、第２の上記端末装置を特定する領域内端末特定ステップと、上記地図データ取得ステップにて取得された上記地図データ上で、上記第２の上記端末装置の上記現在位置情報をあいまいに特定する曖昧位置情報を作成する曖昧位置情報作成ステップと、上記曖昧位置情報作成ステップにて作成された上記曖昧位置情報を含む上記地図データに基づく表示画面を生成する地図表示画面生成ステップと、上記表示画面を含む表示制御情報を上記第１の上記端末装置に送信することにより、当該端末装置の上記表示部を介して上記表示画面を表示させる表示制御ステップと、を含むことを特徴とする。
【００２７】
また、本発明の位置情報提供方法は、制御部と記憶部とを少なくとも備えたサーバ装置に通信可能に接続された、表示部と制御部とを少なくとも備えた端末装置において実行される位置情報提供方法であって、上記サーバ装置の上記記憶部は、地図データを記憶する地図データ記憶手段と、複数の上記端末装置から受信した現在位置情報を記憶する現在位置情報記憶手段と、を備え、上記端末装置の上記制御部において実行される、上記現在位置情報とともに上記地図表示要求を上記サーバ装置に送信する地図表示要求送信ステップと、上記地図表示要求送信ステップにて送信された上記現在位置情報に基づいて上記地図データ記憶手段から取得された上記地図データ上で、上記現在位置情報記憶手段に記憶された上記複数の上記端末装置の上記現在位置情報に基づいて、当該地図データの領域内に当該現在位置情報による位置が含まれる、他の上記端末装置の上記現在位置情報をあいまいに特定する曖昧位置情報と当該地図データとを共に、上記サーバ装置から受信する地図データ受信ステップと、上記地図データ受信ステップにて受信された上記曖昧位置情報と上記地図データを上記表示部に表示させる地図表示ステップと、を含むことを特徴とする。
【００２８】
また、本発明のプログラムは、表示部と制御部とを少なくとも備えた複数の端末装置に通信可能に接続された、制御部と記憶部とを少なくとも備えたサーバ装置に実行させるためのプログラムであって、上記サーバ装置の上記記憶部は、地図データを記憶する地図データ記憶手段と、上記複数の上記端末装置から受信した現在位置情報を記憶する現在位置情報記憶手段と、を備え、上記サーバ装置の上記制御部において、上記複数の上記端末装置のうち第１の上記端末装置から上記現在位置情報とともに送信される、地図表示要求を受信する地図表示要求受信ステップと、上記地図表示要求受信ステップにて上記地図表示要求とともに受信された上記現在位置情報を含む上記地図データを上記地図データ記憶手段から取得する地図データ取得ステップと、上記現在位置情報記憶手段に記憶された上記複数の上記端末装置の上記現在位置情報に基づいて、上記地図データ取得ステップにて取得された上記地図データの領域内に当該現在位置情報による位置が含まれる、第２の上記端末装置を特定する領域内端末特定ステップと、上記地図データ取得ステップにて取得された上記地図データ上で、上記第２の上記端末装置の上記現在位置情報をあいまいに特定する曖昧位置情報を作成する曖昧位置情報作成ステップと、上記曖昧位置情報作成ステップにて上記曖昧位置情報と上記地図データとを共に、上記第１の上記端末装置に送信する地図データ送信ステップと、を実行させることを特徴とする。
【００２９】
また、本発明のプログラムは、表示部と制御部とを少なくとも備えた複数の端末装置に通信可能に接続された、制御部と記憶部とを少なくとも備えたサーバ装置に実行させるためのプログラムであって、上記サーバ装置の上記記憶部は、地図データを記憶する地図データ記憶手段と、上記複数の上記端末装置の現在位置情報を記憶する現在位置情報記憶手段と、を備え、上記サーバ装置の上記制御部において、上記複数の上記端末装置のうち第１の上記端末装置から送信される、地図表示要求を受信する地図表示要求受信ステップと、上記第１の上記端末装置の上記現在位置情報を含む上記地図データを上記地図データ記憶手段から取得する地図データ取得ステップと、上記現在位置情報記憶手段に記憶された上記複数の上記端末装置の上記現在位置情報に基づいて、上記地図データ取得ステップにて取得された上記地図データの領域内に当該現在位置情報による位置が含まれる、第２の上記端末装置を特定する領域内端末特定ステップと、上記地図データ取得ステップにて取得された上記地図データ上で、上記第２の上記端末装置の上記現在位置情報をあいまいに特定する曖昧位置情報を作成する曖昧位置情報作成ステップと、上記曖昧位置情報作成ステップにて作成された上記曖昧位置情報を含む上記地図データに基づく表示画面を生成する地図表示画面生成ステップと、上記表示画面を含む表示制御情報を上記第１の上記端末装置に送信することにより、当該端末装置の上記表示部を介して上記表示画面を表示させる表示制御ステップと、を実行させることを特徴とする。
【００３０】
また、本発明のプログラムは、制御部と記憶部とを少なくとも備えたサーバ装置に通信可能に接続された、表示部と制御部とを少なくとも備えた端末装置に実行させるためのプログラムであって、上記サーバ装置の上記記憶部は、地図データを記憶する地図データ記憶手段と、複数の上記端末装置から受信した現在位置情報を記憶する現在位置情報記憶手段と、を備え、上記端末装置の上記制御部において、上記現在位置情報とともに上記地図表示要求を上記サーバ装置に送信する地図表示要求送信ステップと、上記地図表示要求送信ステップにて送信された上記現在位置情報に基づいて上記地図データ記憶手段から取得された上記地図データ上で、上記現在位置情報記憶手段に記憶された上記複数の上記端末装置の上記現在位置情報に基づいて、当該地図データの領域内に当該現在位置情報による位置が含まれる、他の上記端末装置の上記現在位置情報をあいまいに特定する曖昧位置情報と当該地図データとを共に、上記サーバ装置から受信する地図データ受信ステップと、上記地図データ受信ステップにて受信された上記曖昧位置情報と上記地図データを上記表示部に表示させる地図表示ステップと、を実行させることを特徴とする。
【発明の効果】
【００３１】
この発明によれば、サーバ装置において、地図データ、および、複数の端末装置から受信した現在位置情報を記憶し、複数の端末装置のうち第１の端末装置から現在位置情報とともに送信される、地図表示要求を受信し、地図表示要求とともに受信した現在位置情報を含む地図データを取得し、記憶した複数の端末装置の現在位置情報に基づいて、取得した地図データの領域内に当該現在位置情報による位置が含まれる、第２の端末装置を特定し、取得した地図データ上で、第２の端末装置の現在位置情報をあいまいに特定する曖昧位置情報を作成し、曖昧位置情報と地図データとを共に、第１の端末装置に送信し、第１の端末装置において、現在位置情報とともに地図表示要求をサーバ装置に送信し、サーバ装置から送信される、曖昧位置情報と地図データを受信し、受信した曖昧位置情報と地図データを表示部に表示させる。これにより、他の端末装置の利用者の現在位置をあいまいに表示して、不用意に詳細な位置情報が開示されてしまうことを防止することができるという効果を奏する。
【００３２】
また、本発明によれば、取得した地図データ上で、第２の端末装置の現在位置情報による位置を含むポリゴン領域を曖昧位置情報として作成する。これにより、他の端末装置の利用者の現在位置を、地図上の点として厳密に表示するのではなく、地図上のポリゴン領域として曖昧に表現して、不用意に詳細な位置情報が開示されてしまうことを防ぎながら、他の端末装置の利用者がいる範囲を提示することができるという効果を奏する。
【００３３】
また、本発明によれば、第２の端末装置の現在位置情報による位置が、ポリゴン領域の中心以外に位置するように、曖昧位置情報を作成する。これにより、他の端末装置の利用者がポリゴン領域の中心にいるものと、自己の端末装置の利用者が推測することにより、事実上、詳細な位置が特定されてしまうことを防ぐことができるという効果を奏する。
【００３４】
また、本発明によれば、ポリゴン領域の中心以外のランダムな位置を、第２の端末装置の現在位置情報による位置とする曖昧位置情報を作成する。これにより、他の端末装置の利用者がポリゴン領域の中心にいるものと、自己の端末装置の利用者が推測することにより、事実上、詳細な位置が特定されてしまうことを防止するための、ポリゴン領域の設定を行うことができるという効果を奏する。
【００３５】
また、本発明によれば、取得した地図データ上で、第１の端末装置の現在位置情報と第２の端末装置の現在位置情報との位置関係により、大きさを変更したポリゴン領域を曖昧位置情報として作成する。これにより、自己の端末装置の利用者と他の端末装置の利用者との位置関係に従って、適切な大きさのポリゴン領域を設定して、不用意に詳細な位置情報が開示されてしまうことを防ぎながら、適度に他の端末装置の利用者がいる範囲を提示することができるという効果を奏する。
【００３６】
また、本発明によれば、取得した地図データ上で、第２の端末装置の現在位置情報による位置を含む行政界を示すポリゴン領域を曖昧位置情報として作成する。これにより、他の端末装置の利用者がいる行政界を提示して、不用意に詳細な位置情報が開示されてしまうことを防ぎながら、適度に他の端末装置の利用者がいる範囲を提示することができるという効果を奏する。
【００３７】
また、本発明によれば、取得した地図データ上で、第２の端末装置の現在位置情報による位置を含むブロックを示すポリゴン領域を曖昧位置情報として作成する。これにより、他の端末装置の利用者がいる街区等のブロックを提示して、不用意に詳細な位置情報が開示されてしまうことを防ぎながら、適度に他の端末装置の利用者がいる範囲を提示することができるという効果を奏する。
【００３８】
また、本発明によれば、取得した地図データ上で、ポリゴン領域内のランドマークが強調表示されるように指定する曖昧位置情報を作成する。これにより、他の端末装置の利用者がいる付近のランドマークを提示して、不用意に詳細な位置情報が開示されてしまうことを防ぐことができるという効果を奏する。また、他の端末装置の利用者がいる付近のランドマークを提示することによって、待ち合わせの候補地点を提供することができる。
【００３９】
また、本発明によれば、取得した地図データ上で、第１の端末装置の現在位置情報による位置から、第２の端末装置の現在位置情報による位置への方向を矢印で示す曖昧位置情報を作成する。これにより、他の端末装置の利用者がいる方向を矢印で提示して、不用意に詳細な位置情報が開示されてしまうことを防ぐことができるという効果を奏する。
【００４０】
また、本発明によれば、第１の端末装置において、曖昧位置情報についての詳細位置要求をサーバ装置に送信し、サーバ装置において、第１の端末装置から送信される、詳細位置要求を受信し、詳細位置要求を受信した場合に、当該詳細位置要求に対する可否についての問合せ情報を、第２の端末装置に送信し、第２の端末装置において、サーバ装置から送信される、問合せ情報を受信し、受信した問合せ情報に対する回答情報を作成し、作成した回答情報をサーバ装置に送信し、サーバ装置において、第２の端末装置から送信される、問合せ情報に対する回答情報を受信し、詳細位置要求に対して可とする回答情報を受信した場合に、第２の端末装置の現在位置情報を特定した詳細位置情報を作成し、詳細位置情報と地図データとを共に、第１の端末装置に送信する。これにより、第１の端末装置の利用者が、曖昧位置情報よりも詳細な、第２の端末装置の利用者の位置情報を知りたい場合に、第２の端末装置の利用者の承認を得た上で詳細な位置情報を提供することができるという効果を奏する。
【００４１】
また、本発明によれば、サーバ装置において、複数の端末装置の識別情報を関連付けた関連付け情報を記憶し、記憶した関連付け情報に基づいて、第１の端末装置の識別情報に、他の端末装置の識別情報が関連付けられている場合に、取得した地図データの領域内に現在位置情報による位置が含まれる他の端末装置を、第２の端末装置として特定する。これにより、予め設定した関連付け情報に基づく利用者間で、位置情報を共有することができるように位置情報を提供し、不用意に第三者に位置情報が開示されてしまうことを防ぐことができるという効果を奏する。
【図面の簡単な説明】
【００４２】
【図１】図１は、第１の実施形態における位置情報提供システムの構成の一例を示すブロック図である。
【図２】図２は、第１の実施形態にかかる位置情報提供システム間のデータフローの一例を示すフローチャートである。
【図３】図３は、詳細位置要求の入力画面の一例を示す図である。
【図４】図４は、第１の実施形態にかかる位置情報提供システムにおけるサーバ装置２００の詳細な処理の一例を示すフローチャートである。
【図５】図５は、第２の端末装置１００−２の現在位置情報による位置を含むポリゴン領域を曖昧位置情報として作成した場合の表示画面例を示す図である。
【図６】図６は、第２の端末装置１００−２の現在位置情報による位置を含むブロックのポリゴン領域を曖昧位置情報として作成した場合の表示画面例を示す図である。
【図７】図７は、第２の端末装置１００−２の現在位置情報による位置を含む行政界のポリゴン領域を曖昧位置情報として作成した場合の表示画面例を示す図である。
【図８】図８は、詳細位置情報作成部２０２ｉにより作成された詳細位置情報を含む第２の地図データの表示画面例を示す図である。
【図９】図９は、第２の実施形態におけるサーバ装置２００の構成の一例を示すブロック図である。
【図１０】図１０は、第２の実施形態におけるサーバ装置２００の処理の一例を示すフローチャートである。
【発明を実施するための形態】
【００４３】
以下に、本発明にかかる、位置情報提供システム、サーバ装置、端末装置、位置情報提供方法、および、プログラムの実施の形態を図面に基づいて詳細に説明する。なお、この実施の形態によりこの発明が限定されるものではない。
【００４４】
以下、本発明の構成および処理について、第１の実施形態（位置情報提供システム）、および、第２の実施形態（サーバ装置（サーバ主導型））の順にて詳細に説明する。
【００４５】
［第１の実施形態］
最初に、本発明の第１の実施形態（位置情報提供システム）について、図１から図８を参照して以下に説明する。但し、以下に示す第１の実施形態は、本発明の技術思想を具体化するための位置情報提供システムを例示するものであって、本発明をこの位置情報提供システムに特定することを意図するものではなく、特許請求の範囲に含まれるその他の実施形態の位置情報提供システムにも等しく適用し得るものである。例えば、第１の実施形態で例示する位置情報提供システムにおけるサーバ側と端末側の機能分散の形態は以下に限られず、同様の効果や機能を奏し得る範囲において、任意の単位で機能的または物理的に分散・統合して構成することができる。
【００４６】
［位置情報提供システムの構成］
まず、第１の実施形態における位置情報提供システムの構成の一例について、図１を参照して以下に説明する。ここで、図１は、第１の実施形態における位置情報提供システムの構成の一例を示すブロック図であり、該構成のうち本発明に関係する部分のみを概念的に示している。なお、本実施形態１においては、通信型のナビゲーションを提供する位置情報提供システムを具体例として説明するが、本発明はこれに限ることなく、スタンドアローンタイプの位置情報提供システムなどにも適用可能である。
【００４７】
図１に示すように、第１の実施形態の位置情報提供システムは、概略的に、経路探索等を行うサーバ装置２００、および、複数の端末装置１００を、ネットワーク３００を介して通信可能に接続して構成される。ここで、図１に示すように、通信には、一例として、ネットワーク３００を介した有線・無線通信等の遠隔通信等を含む。また、これら位置情報提供システムの各部は任意の通信路を介して通信可能に接続されている。なお、以下の実施の形態においては、図１に示すように、理解の容易のため、２つの端末装置（すなわち、端末装置１００−１および端末装置１００−２）がネットワーク３００を介して接続された例について説明するが、接続する端末装置１００の個数は任意の複数であれば同様に本実施の形態を適用することができる。
【００４８】
図１に示すように、第１の実施形態の位置情報提供システムにおいて、サーバ装置２００は、概略的に、制御部２０２と記憶部２０６とを少なくとも備えており、端末装置１００は、位置取得部１１２と表示部１１４と入力部１１６と制御部１０２と記憶部１０６とを備える。
【００４９】
［サーバ装置２００の構成］
サーバ装置２００は、複数の端末装置１００のうち第１の端末装置１００（例えば、「端末装置１００−１」）から、現在位置情報とともに地図表示要求を受信した場合、地図表示要求とともに受信した現在位置情報を含む地図データを取得し、記憶した複数の端末装置の現在位置情報に基づいて、取得した地図データの領域内に当該現在位置情報による位置が含まれる、第２の端末装置１００（例えば、「端末装置１００−２」）を特定し、取得した地図データ上で、第２の端末装置１００の現在位置情報をあいまいに特定する曖昧位置情報を作成し、曖昧位置情報と地図データとを共に、第１の端末装置１００に送信する等の機能を有する。サーバ装置２００は、通信制御インターフェース部２０４を介してネットワーク３００を経由し、複数の端末装置１００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、サーバ装置２００とネットワーク３００との間における通信制御を行う機能を有する。すなわち、通信制御インターフェース部２０４は、端末装置１００等と通信回線を介してデータを通信する機能を有している。記憶部２０６は、ＨＤ（Ｈａｒｄ  Ｄｉｓｋ）等の固定ディスク装置およびＳＳＤ（Ｓｏｌｉｄ  Ｓｔａｔｅ  Ｄｒｉｖｅ）等のストレージ手段であり、各種のデータベースやテーブル（地図データベース２０６ａ、位置情報データベース２０６ｂ、および、ユーザデータベース２０６ｃ等）を格納する。
【００５０】
これら記憶部２０６の各構成要素のうち、地図データベース２０６ａは、地図の地図データを記憶する地図データ記憶手段である。ここで、地図データベース２０６ａに記憶される地図データは、本発明において、例えば、縮尺に従ってメッシュ化された地図データ（例えば、ＪＩＳ規格の第１〜３次地域区画メッシュデータ、および、１００ｍメッシュデータ等）等の屋外地図データであってもよい。また、地図データベース２０６ａは、全国および各地方の道路地図や路線図等の屋外地図データを記憶してもよい。また、地図データベース２０６ａは、例えば、高さ情報を持つ建築物（例えば、立体駐車場、駅、デパート、および、学校等）に関するフロア案内地図等の屋内地図データを更に記憶してもよい。
【００５１】
また、地図データベース２０６ａに記憶される地図データは、地図上に表示される地物（例えば、ビルや住宅や駅等の建造物、道路、線路、橋、トンネル、等高線、海岸線や湖岸線等の水涯線、海、河川、湖、池、沼、公園や屋外施設等の場地、行政界、行政区域、および、ブロック（街区）等）の形状（二次元形状や三次元形状を含む。）についての形状データ、地図上に表示される注記（例えば、地名、住所、電話番号、店や公園や駅等の施設名称、名所や旧跡や河川や湖や湾や山や森林等の俗称を含む名称、道路や橋やトンネル等の名称、路線名称、地点情報、および、口コミ情報等）の注記データ、および、地図上に表示される記号（例えば、山、史跡、寺社、学校、病院、工場および墓地等の地図記号、ガソリンスタンド、コンビニエンスストア、スーパーマーケット、レストラン、銀行および郵便局等の店舗記号、道路上の信号、有料道路の出入口、料金所、サービスエリア、パーキングエリアおよびインターチェンジ等の記号、駐車場、駅、ホテル、美術館および博物館等の施設記号、ならびに、口コミ地点記号等）の記号データ等のデータを含んでいてもよい。
【００５２】
また、屋外地図データおよび屋内地図データは、ラスタ形式、ベクタ形式等の地図描画用の画像データであってもよい。これら屋外地図データおよび屋内地図データは、地図データベース２０６ａに予め記憶されており、サーバ装置２００の制御部２０２は、定期的にネットワーク３００を介して最新のデータを外部機器等からダウンロードして地図データベース２０６ａに記憶された屋外地図データおよび屋内地図データをアップデートしてもよい。
【００５３】
また、位置情報データベース２０６ｂは、複数の端末装置１００から受信した現在位置情報を記憶する現在位置情報記憶手段である。例えば、サーバ装置２００は、端末装置１００から送信される、利用者の現在位置情報を受信し、受信した現在位置情報を当該端末装置１００の識別情報に対応付けて位置情報データベース２０６ｂに格納することにより、位置情報データベース２０６ｂを構築する。ここで、サーバ装置２００は、現在位置情報および識別情報に対応付けて、更に、受信時刻等の日時情報を位置情報データベース２０６ｂに格納してもよく、また、サーバ装置２００は、現在位置情報を受信した場合に、位置情報データベース２０６ｂに既に記憶されている現在位置情報を更新してもよい。
【００５４】
また、ユーザデータベース２０６ｃは、複数の端末装置１００の識別情報を関連付けた関連付け情報を記憶する関連付け情報記憶手段である。ここで、ユーザデータベース２０６ｃに格納される関連付け情報は、少なくとも２つの端末装置１００の識別情報を互いに関連付けた情報である。例えば、ユーザデータベース２０６ｃは、任意のグループに属する利用者が所有する端末装置１００の識別情報をグループ毎に格納する。一例として、グループは、互いに曖昧位置情報を提供し合うことを予め承認した複数の利用者で構成される。ここで、ユーザデータベース２０６ｃは、識別情報に対応付けて、当該識別情報の端末装置１００の利用者のユーザ名等を記憶してもよい。
【００５５】
また、制御部２０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、地図表示要求受信部２０２ａ、地図データ取得部２０２ｂ、領域内端末特定部２０２ｃ、曖昧位置情報作成部２０２ｄ、地図データ送信部２０２ｅ、詳細位置要求受信部２０２ｆ、問合せ情報送信部２０２ｇ、回答情報受信部２０２ｈ、および、詳細位置情報作成部２０２ｉを備える。
【００５６】
このうち、地図表示要求受信部２０２ａは、複数の端末装置１００のうち第１の端末装置１００から現在位置情報とともに送信される、地図表示要求を受信する地図表示要求受信手段である。ここで、「第１の端末装置」は、複数の端末装置１００のうちの任意の端末装置１００であり、すなわち、地図表示要求の送信元の端末装置１００が以降の処理において「第１の端末装置」として特定される。なお、本実施の形態においては、識別情報を用いて端末装置１００の特定を行うため、地図表示要求受信部２０２ａは、地図表示要求とともに送信される識別情報を受信してもよく、また、ネットワーク３００のパスを解析する等により識別情報を取得してもよい。また、地図表示要求は、要求する地図の中心座標（緯度経度等）や地図の縮尺やメッシュの次元等の情報を含んでもよい。なお、地図表示要求受信部２０２ａは、単独で受信した現在位置情報、または、地図表示要求とともに受信した現在位置情報を、位置情報データベース２０６ｂに識別情報に対応付けて格納してもよい。
【００５７】
また、地図データ取得部２０２ｂは、地図表示要求受信部２０２ａにより地図表示要求とともに受信された現在位置情報を含む地図データを地図データベース２０６ａから取得する地図データ取得手段である。例えば、地図データ取得部２０２ｂは、受信された現在位置情報による位置を中心とする地図データを地図データベース２０６ａから取得してもよい。また、地図データ取得部２０２ｂは、地図表示要求受信部２０２ａにより受信された地図表示要求に、要求する地図の中心座標（緯度経度等）や地図の縮尺やメッシュの次元等の情報が含まれる場合、当該地図表示要求に従って地図データベース２０６ａから地図データを取得してもよい。
【００５８】
また、領域内端末特定部２０２ｃは、位置情報データベース２０６ｂに記憶された複数の端末装置１００の現在位置情報に基づいて、地図データ取得部２０２ｂにより取得された地図データの領域内に当該現在位置情報による位置が含まれる、第２の端末装置１００を特定する領域内端末特定手段である。例えば、領域内端末特定部２０２ｃは、位置情報データベース２０６ｂに記憶された、地図表示要求の送信元である第１の端末装置１００以外の端末装置１００の現在位置情報による位置が、地図データ取得部２０２ｂにより取得された地図データの表示領域内であるか否かを判定し、表示領域内であると判定した一または複数の端末装置１００を「第２の端末装置」として特定する。なお、上述のように、本実施の形態においては、複数の端末装置１００を識別情報に基づいて特定するので、領域内端末特定部２０２ｃは、表示領域内であると判定した一または複数の端末装置１００の識別情報を位置情報データベース２０６ｂから抽出することにより、「第２の端末装置」を特定する。
【００５９】
ここで、領域内端末特定部２０２ｃは、ユーザデータベース２０６ｃに記憶された関連付け情報に基づいて、第１の端末装置１００の識別情報に、他の端末装置１００の識別情報が関連付けられている場合に、地図データ取得部２０２ｂにより取得された地図データの領域内に現在位置情報による位置が含まれる当該他の端末装置を、第２の端末装置として特定してもよい。すなわち、領域内端末特定部２０２ｃは、位置情報データベース２０６ｂに現在位置情報が記憶されている全ての端末装置１００について領域内にあるか否かを判定するのではなく、ユーザデータベース２０６ｃの関連付け情報に基づいて、第１の端末装置１００に関連付けられた他の端末装置１００に制限して、地図データの領域内にあるか否かを判定してもよい。
【００６０】
また、曖昧位置情報作成部２０２ｄは、地図データ取得部２０２ｂにより取得された地図データ上で、第２の端末装置１００の現在位置情報をあいまいに特定する曖昧位置情報を作成する曖昧位置情報作成手段である。ここで、「曖昧位置情報」は、地図上で第２の端末装置１００の現在位置情報をあいまいに表現するための情報である。例えば、曖昧位置情報作成部２０２ｄは、第２の端末装置１００の現在位置情報による位置を含むポリゴン領域を曖昧位置情報として作成してもよい。好適には、曖昧位置情報作成部２０２ｄは、第２の端末装置１００の現在位置情報による位置が、ポリゴン領域の中心（重心や焦点を含む。）以外に位置するように、曖昧位置情報を作成してもよい。すなわち、曖昧位置情報作成部２０２ｄは、ポリゴン領域上で、そこにいるものと錯覚しやすい中心等の点と現在位置が一致することを避けて、ポリゴン領域を作成する。一例として、曖昧位置情報作成部２０２ｄは、ポリゴン領域の中心以外のランダムな位置を、第２の端末装置１００の現在位置情報による位置とする曖昧位置情報を作成する。
【００６１】
また、曖昧位置情報作成部２０２ｄは、第１の端末装置１００の現在位置情報と、第２の端末装置１００の現在位置情報との位置関係により、ポリゴン領域の大きさを変更してもよい。例えば、曖昧位置情報作成部２０２ｄは、両者の位置関係が近いほど、ポリゴン領域の円の半径を大きく設定してもよい。また、曖昧位置情報作成部２０２ｄは、第２の端末装置１００の現在位置情報による位置を含む行政界やブロック（街区）を示すポリゴン領域を曖昧位置情報として作成してもよい。また、曖昧位置情報作成部２０２ｄは、上述したポリゴン領域を曖昧位置情報として作成する以外にも、地図上でポリゴン領域内のランドマーク（地図上に表示される駅等の地物、駅名等の注記、駅等を表す記号等を含む。）が強調表示されるように指定する曖昧位置情報を作成してもよい。例えば、曖昧位置情報作成部２０２ｄは、地図データ上の駅等のランドマークが強調表示されるように設定するとともに、「○○さんは、この付近にいます。」等の表記が付されるよう設定してもよい。また、曖昧位置情報作成部２０２ｄは、第１の端末装置１００の現在位置情報による位置から、第２の端末装置１００の現在位置情報による位置への方向を矢印で示す曖昧位置情報を作成してもよい。
【００６２】
また、地図データ送信部２０２ｅは、曖昧位置情報作成部２０２ｄにより曖昧位置情報と地図データとを共に、位置表示要求の送信元の第１の端末装置１００に送信する地図データ送信手段である。ここで、地図データ送信部２０２ｅは、後述する詳細位置情報作成部２０２ｉにより詳細位置情報が作成された場合、当該詳細位置情報と地図データとを共に、第１の端末装置１００に送信してもよい。
【００６３】
また、詳細位置要求受信部２０２ｆは、第１の端末装置１００から送信される、地図データ送信部２０２ｅにより送信された地図データの曖昧位置情報についての詳細位置要求を受信する詳細位置要求受信手段である。
【００６４】
また、問合せ情報送信部２０２ｇは、詳細位置要求受信部２０２ｆにより詳細位置要求が受信された場合に、当該詳細位置要求に対する可否についての問合せ情報を、第２の端末装置１００に送信する問合せ情報送信手段である。すなわち、問合せ情報送信部２０２ｇは、第２の端末装置１００の利用者に対して、曖昧位置情報よりも詳細な位置情報を提供することの承認を依頼する問合せ情報を作成し、当該第２の端末装置１００に送信する。なお、問合せ情報送信部２０２ｇは、受信された詳細位置要求にメッセージが格納されている場合は、当該メッセージを問合せ情報に格納して送信する。
【００６５】
また、回答情報受信部２０２ｈは、第２の端末装置１００から送信される、問合せ情報に対する回答情報を受信する回答情報受信手段である。
【００６６】
また、詳細位置情報作成部２０２ｉは、回答情報受信部２０２ｈにより詳細位置要求に対して可とする回答情報が受信された場合に、第２の端末装置１００の現在位置情報を特定した詳細位置情報を作成する詳細位置情報作成手段である。ここで、詳細位置情報は、曖昧位置情報に比較して現在位置をより特定した情報であり、例えば、曖昧位置情報のポリゴン領域をより狭く限定した情報や、現在位置情報そのものであってもよい。
【００６７】
［端末装置１００の構成］
また、図１において、端末装置１００は、現在位置情報を単独で又は地図表示要求とともにサーバ装置２００に送信し、地図表示要求を送信した場合にサーバ装置２００から送信される曖昧位置情報と地図データを受信し、受信した曖昧位置情報と地図データを表示部１１４に表示させる等の機能を有する。端末装置１００は、例えば、一般に市販されるデスクトップ型またはノート型のパーソナルコンピュータ等の情報処理装置、携帯電話やＰＨＳやＰＤＡ等の携帯端末装置、および、現在位置案内や走行経路案内等を行なうナビゲーション端末等である。なお、図１においては、複数の端末装置１００のうちの一の端末装置１００−１の構成について図示しているが、他の端末装置１００（例えば、端末装置１００−２）についても同様の構成を有する。ここで、端末装置１００は、インターネットブラウザ等を搭載していてもよく、経路案内アプリケーションや乗換案内アプリケーション等を搭載していてもよい。また、端末装置１００は、リアルタイムに現在位置取得が行えるよう、ＧＰＳ機能やＩＭＥＳ機能等を有する位置取得部１１２を備えている。また、端末装置１００は、表示部１１４と入力部１１６を備えている。
【００６８】
ここで、表示部１１４は、地図データ等に基づく表示画面を表示する表示手段（例えば、液晶や有機ＥＬ等から構成されるディスプレイやモニタ等）である。また、入力部１１６は、地図表示要求の入力等を行う入力手段（例えば、キー入力部、タッチパネル、キーボード、マイク等）を備えている。また、入出力制御インターフェース部１０８は、位置取得部１１２、表示部１１４、および、入力部１１６等の制御を行う。
【００６９】
ここで、位置取得部１１２は、例えば、位置発信装置５００から発信される位置情報信号を受信する位置取得手段であってもよい。ここで、位置発信装置５００は、位置情報信号（ＧＰＳ信号）を発信するＧＰＳ装置であってもよい。また、位置発信装置５００は、ＧＰＳ信号と類似した特徴を持つ位置情報信号を用いて屋内測位を可能とするＩＭＥＳ（Ｉｎｄｏｏｒ  Ｍｅｓｓａｇｅ  Ｓｙｓｔｅｍ）技術を実現するＩＭＥＳ装置であってもよい。なお、ＩＭＥＳ技術は測位衛星システムである準天頂衛星の枠組みから発案されたシステムである。
【００７０】
また、位置発信装置５００は、屋外で受信したＧＰＳ信号を屋内で発信するＧＰＳリピータであってもよい。また、位置発信装置５００は、建物（例えば、立体駐車場等）内の各フロアや地下構造物（例えば、地下鉄駅、地下街、地下連絡通路、地下駐車場等）の各所に任意に設置される小型発信装置であってもよい。なお、この小型発信装置には、設置場所に応じた自己位置情報（位置ＩＤ等）が割り振られている。そして、端末装置１００が通信可能範囲に入ると、端末装置１００は、小型発信装置から送信される自己位置情報を位置情報信号として受信する。この際の通信方式は、例えば、ＲＦＩＤ（Ｒａｄｉｏ  Ｆｒｅｑｕｅｎｃｙ  Ｉｄｅｎｔｉｆｉｃａｔｉｏｎ）タグシステムやＢｌｕｅｔｏｏｔｈ（登録商標）等の各種近距離無線方式や、赤外線通信方式等であってもよい。また、位置発信装置５００は、無線ＬＡＮのアクセスポイントであってもよい。本実施形態において、位置取得部１１２は、無線ＬＡＮ信号等を受信して、アクセスポイントの識別情報を取得してもよい。そして、端末装置１００は、位置取得部１１２にて取得したアクセスポイント固有の識別情報からアクセスポイントの位置を特定して位置情報を取得してもよい。また、本実施形態において、端末装置１００は、位置取得部１１２にて取得された位置情報信号から、緯度、経度、および、高さ情報を含む位置情報を算出してもよい。
【００７１】
また、位置取得部１１２は、例えば、方位センサにて検出した端末装置１００の進行方向等の方位情報、距離センサにて検出した距離情報、および、地図データに基づいて端末装置１００の利用者の現在位置を示す位置情報を取得してもよい。ここで、方位センサには、端末装置１００の絶対走行方位を検出する地磁気センサおよび端末装置１００の相対走行方位を検出する光ジャイロが使用されてもよい。また、方位センサは、地磁気センサと加速度センサを組み合わせることで方位や傾きに関する情報を取得できる電子コンパスであってもよい。
【００７２】
また、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、サーバ装置２００等と通信回線を介してデータを通信する機能を有している。また、ネットワーク３００は、端末装置１００およびサーバ装置２００と、外部の地図提供サーバ等の外部機器または外部システムとを相互に接続する機能を有し、例えば、インターネット、電話回線網（携帯端末回線網および一般電話回線網等）、イントラネット、または、電力線通信（ＰＬＣ）等であってもよい。
【００７３】
また、記憶部１０６は、ＨＤやＳＳＤ等の大容量のストレージ手段、および／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段であり、各種のデータベースやファイルやテーブル（地図データファイル１０６ａ等）を格納してもよい。ここで、記憶部１０６は、各種のファイル等を一時的に記憶するものであってもよい。
【００７４】
このうち、地図データファイル１０６ａは、サーバ装置２００から受信した地図データを記憶する地図データ記憶手段である。
【００７５】
また、制御部１０２は、ＯＳ等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、現在位置情報取得部１０２ａ、地図表示要求送信部１０２ｂ、地図データ受信部１０２ｃ、地図表示部１０２ｄ、詳細位置要求送信部１０２ｅ、問合せ情報受信部１０２ｆ、回答情報作成部１０２ｇ、および、回答情報送信部１０２ｈを備える。
【００７６】
また、現在位置情報取得部１０２ａは、端末装置１００の利用者の現在位置情報を取得する現在位置情報取得手段である。ここで、現在位置情報取得部１０２ａは、現在位置情報を取得した場合に、端末装置１００の識別情報に対応付けて当該現在位置情報をサーバ装置２００に送信してもよい。また、現在位置情報取得部１０２ａは、端末装置１００の利用者の現在位置情報を所定時間（所定周期）ごと（例えば、１秒ごと、３分ごと等）に取得してもよい。また、現在位置情報取得部１０２ａは、位置取得部１１２にて位置発信装置５００から受信した位置情報信号から算出した位置情報を端末装置１００の利用者の現在位置情報として取得してもよい。また、現在位置情報取得部１０２ａは、更に、位置取得部１１２の方位センサ等にて検出した端末装置１００の進行方向等の方位情報を端末装置１００の利用者の現在位置情報として取得してもよい。
【００７７】
また、現在位置情報取得部１０２ａは、利用者により入力部１１６を介して入力された現在位置についての位置座標等の位置情報を端末装置１００の利用者の現在位置情報として取得してもよい。ここで、利用者により入力部１１６を介して入力された現在位置は、利用者が現実に存在する位置であってもよく、利用者により任意に選択された仮想の現在位置（一例として、東京にいる利用者により選択された大阪の駅や空港等の任意の地点）であってもよい。例えば、現在位置情報取得部１０２ａは、入力部１１６を介して利用者に表示部１１４に表示された地図データの表示画面上で指定（例えば、タッチパネル式の表示部１１４での指定操作等）させた座標を端末装置１００の利用者の現在位置情報として取得してもよい。また、現在位置情報取得部１０２ａは、更に、入力部１１６を介して利用者に表示部１１４に表示された地図データの表示画面上で指定させた方位情報を端末装置１００の利用者の現在位置情報として取得してもよい。
【００７８】
また、地図表示要求送信部１０２ｂは、現在位置情報取得部１０２ａにより取得された現在位置情報とともに地図表示要求をサーバ装置２００に送信する地図表示要求送信手段である。ここで、地図表示要求送信部１０２ｂにより送信される地図表示要求には、送信元の端末装置１００が特定できるよう識別情報を付加してもよい。ここで、地図表示要求送信部１０２ｂは、現在位置情報取得部１０２ａにより取得される現在位置情報の更新に従って地図表示要求をサーバ装置２００に送信してもよく、また、利用者から入力部１１６を介して地図の中心座標（緯度経度等）や地図の縮尺やメッシュの次元等の情報を含む地図表示要求を入力された場合に、地図表示要求をサーバ２００に送信してもよい。
【００７９】
また、地図データ受信部１０２ｃは、サーバ装置２００から送信される曖昧位置情報と地図データを受信し、地図データファイル１０６ａに格納する地図データ受信手段である。ここで、地図データ受信部１０２ｃは、地図データと共に、曖昧位置情報または詳細位置情報の他、当該端末装置１００の現在位置情報を受信してもよい。
【００８０】
また、地図表示部１０２ｄは、地図データ受信部１０２ｃにより受信され地図データファイル１０６ａに格納された地図データを表示部１１４に表示させる地図表示手段である。ここで、地図表示部１０２ｄは、地図データファイル１０６ａに、曖昧位置情報や詳細位置情報や端末装置１００の現在位置情報等が格納されている場合、曖昧位置情報や詳細位置情報や現在位置情報等に従って、対応する地図データによる地図上に、ポリゴン領域や矢印、強調表示用のランドマークや、現在位置ポインタ等が表示されるよう制御する。
【００８１】
また、詳細位置要求送信部１０２ｅは、地図データの曖昧位置情報についての詳細位置要求をサーバ装置２００に送信する詳細位置要求送信手段である。すなわち、詳細位置要求送信部１０２ｅにより送信される詳細位置要求は、曖昧位置情報に関して、より詳細な位置表示の承認を依頼するための情報である。ここで、詳細位置要求送信部１０２ｅは、地図表示部１０２ｄにより表示部１１４に表示させた地図データ上の曖昧位置情報について、利用者により入力部１１６を介して詳細位置要求が入力された場合、当該詳細位置要求をサーバ装置２００に送信してもよい。一例として、詳細位置要求送信部１０２ｅは、地図上の曖昧位置情報による表示に対して、利用者に入力部１１６を用いてクリックさせるよう制御してもよく、また、予め記憶部１０６に記憶された関連付け情報に基づいて、関連付けされたユーザリストから入力部１１６を用いて選択させるよう制御してもよい。さらに、詳細位置要求送信部１０２ｅは、詳細位置要求と同時に、入力部１１６を介してメッセージ等を入力可能に制御してもよく、入力されたメッセージ等を詳細位置要求に格納してサーバ装置２００に送信してもよい。
【００８２】
また、問合せ情報受信部１０２ｆは、サーバ装置２００から送信される問合せ情報を受信する問合せ情報受信手段である。
【００８３】
また、回答情報作成部１０２ｇは、問合せ情報受信部１０２ｆにより受信された問合せ情報に対する回答情報を作成する回答情報作成手段である。例えば、回答情報作成部１０２ｇは、曖昧位置情報よりも詳細な位置情報の提供を行うことの可否について、利用者に入力部１１６を介して回答させるよう表示部１１４を制御し、入力された可否についての回答情報を作成する。一例として、回答情報作成部１０２ｇは、「Ｂさんから、Ａさんの場所を教えて欲しい、との問合せがありました。」との表記や、受信された問合せ情報に格納されたメッセージ等を表示部１１４に表示させ、利用者に入力部１１６を介して「はい」または「いいえ」の選択ボタンをクリックさせるよう制御してもよい。
【００８４】
また、回答情報送信部１０２ｈは、回答情報作成部１０２ｇにより作成された回答情報をサーバ装置２００に送信する回答情報送信手段である。
【００８５】
以上で、第１の実施形態における位置情報提供システムの構成の一例の説明を終える。
【００８６】
［位置情報提供システムの処理］
次に、このように構成された第１の実施形態における位置情報提供システムの処理の一例について、以下に図２から図８を参照して詳細に説明する。なお、以下の説明においては、理解の容易のため、２つの端末装置１００のうち、地図表示要求を行う第１の端末装置１００−１の利用者を「Ｂさん」とし、第２の端末装置１００−２の利用者を「Ａさん」とした場合について説明するが、いずれを「第１の端末装置」とするかは任意であり、「Ａさん」が地図表示要求を行う場合は、端末装置１００−２が「第１の端末装置」となる。
【００８７】
［位置情報提供システム間のデータフロー］
まず、第１の実施形態における位置情報提供システム間のデータフローについて図２を参照して説明し、その後、サーバ装置２００の詳細な処理の一例について説明する。ここで、図２は、第１の実施形態にかかる位置情報提供システム間のデータフローの一例を示すフローチャートである。なお、前提として、位置情報提供システムにおける複数の端末装置１００は、定期的に現在位置情報をサーバ装置２００に送信しており、サーバ装置２００は、受信した現在位置情報を位置情報データベース２０６ｂに格納する。
【００８８】
図４に示すように、まず、第１の端末装置１００−１の地図表示要求送信部１０２ｂは、現在位置情報取得部１０２ａにより取得された現在位置情報および識別情報とともに地図表示要求をサーバ装置２００に送信する（ステップＳＡ−１）。ここで、地図表示要求送信部１０２ｂは、利用者から入力部１１６を介して地図表示要求を入力された場合に、地図表示要求をサーバ２００に送信してもよく、また、現在位置情報取得部１０２ａにより取得される現在位置情報の更新に従って地図表示要求をサーバ装置２００に送信してもよい。
【００８９】
サーバ装置２００の地図表示要求受信部２０２ａは、第１の端末装置１００−１から地図表示要求を受信すると、地図データ取得部２０２ｂは、受信された現在位置情報を含む地図データを第１の地図データとして地図データベース２０６ａから取得する。そして、サーバ装置２００の領域内端末特定部２０２ｃは、位置情報データベース２０６ｂに記憶された複数の端末装置１００の現在位置情報に基づいて、取得した地図データの領域内に当該現在位置情報による位置が含まれる、第２の端末装置１００を特定する。なお、ここでは、第２の端末装置１００−２が地図データの領域内にある場合について説明する。
【００９０】
そして、サーバ装置２００の曖昧位置情報作成部２０２ｄは、地図データ取得部２０２ｂにより取得された第１の地図データ上で、第２の端末装置１００−２の現在位置情報をあいまいに特定する曖昧位置情報を作成する。そして、サーバ装置２００は、地図データ送信部２０２ｅの処理により、曖昧位置情報と第１の地図データとを共に、第１の端末装置１００−１に送信する（ステップＳＡ−２）。
【００９１】
そして、第１の端末装置１００−１の地図データ受信部１０２ｃは、サーバ装置２００から第１の地図データと曖昧位置情報を受信し、地図データファイル１０６ａに格納する。そして、第１の端末装置１００−１の地図表示部１０２ｄは、地図データ受信部１０２ｃにより受信され地図データファイル１０６ａに格納された第１の地図データと曖昧位置情報を表示部１１４に表示させる。なお、第１の地図データによる表示画面例については後述する。
【００９２】
そして、第１の端末装置１００−１の詳細位置要求送信部１０２ｅは、地図データの曖昧位置情報についての詳細位置要求をサーバ装置２００に送信する（ステップＳＡ−３）。ここで、図３は、詳細位置要求の入力画面の一例を示す図である。
【００９３】
図３に一例として示すように、詳細位置要求送信部１０２ｅは、曖昧位置情報に関して、より詳細な位置表示の承認を依頼する詳細位置要求入力画面ＭＡ−１を表示部１１４に表示させる。ここで、詳細位置要求入力画面ＭＡ−１には、第２の端末装置１００−２の利用者である「Ａさん」について「場所を承認依頼しますか？」等の文字表示の他、入力部１１６を介してメッセージ（例えば、「何してる？」等の文字情報）を入力可能なメッセージ入力欄ＭＡ−２、および、送信ボタンＭＡ−３を含む。詳細位置要求送信部１０２ｅは、利用者により入力部１１６を介して送信ボタンＭＡ−３がクリックされると、メッセージ入力欄ＭＡ−２に入力された文字情報を含む詳細位置要求を、サーバ装置２００に送信する。
【００９４】
そして、サーバ装置２００の詳細位置要求受信部２０２ｆは、第１の端末装置１００−１から詳細位置要求を受信すると、問合せ情報送信部２０２ｇは、当該詳細位置要求に対する可否についての問合せ情報を、第２の端末装置１００−２に送信する（ステップＳＡ−４）。なお、問合せ情報送信部２０２ｇは、受信された詳細位置要求にメッセージが格納されている場合は、当該メッセージを問合せ情報に格納して送信する。
【００９５】
そして、第２の端末装置１００−２の問合せ情報受信部１０２ｆは、サーバ装置２００から問合せ情報を受信すると、回答情報作成部１０２ｇは、当該問合せ情報に対する回答情報を作成する。例えば、回答情報作成部１０２ｇは、「Ｂさんから、Ａさんの位置を教えて欲しい、との問合せがありました。承認しますか？」との表記や、Ｂさんからのメッセージ内容、「はい」および「いいえ」の選択ボタンを含む画面を表示部１１４に表示させる。そして、回答情報作成部１０２ｇは、利用者（Ａさん）により入力部１１６を介して選択された「はい」（可）または「いいえ」（否）の情報を回答情報として作成してもよい。
【００９６】
そして、第２の端末装置１００−２の回答情報送信部１０２ｈは、回答情報作成部１０２ｇにより作成された回答情報をサーバ装置２００に送信する（ステップＳＡ−５）。
【００９７】
そして、サーバ装置２００の回答情報受信部２０２ｈは、第２の端末装置１００−２から回答情報を受信すると、詳細位置情報作成部２０２ｉは、問合せ情報に対して可（承認）とする回答情報が受信された場合に、第２の端末装置１００−２の現在位置情報を特定した詳細位置情報を作成する。なお、サーバ装置２００は、第１の地図データに替えて第２の地図データを取得する場合、第１の端末装置１００−１の現在位置情報等の更新に応じて、地図データ取得部２０２ｂにより再取得された地図データを用いてもよく、第２の端末装置１００−２の現在位置情報の更新に応じて、地図データ取得部２０２ｂにより再取得された地図データを用いてもよい。
【００９８】
そして、サーバ装置２００の地図データ送信部２０２ｅは、曖昧位置情報作成部２０２ｄにより詳細位置情報と第２の地図データとを共に、第１の端末装置１００−１に送信する（ステップＳＡ−６）。
【００９９】
そして、第１の端末装置１００−１の地図データ受信部１０２ｃは、サーバ装置２００から第２の地図データと詳細位置情報を受信し、地図表示部１０２ｄは、地図データ受信部１０２ｃにより受信された第２の地図データと詳細位置情報を表示部１１４に表示させる。すなわち、第２の地図データと詳細位置情報とに基づいて、曖昧位置情報に比べて第２の端末装置１００−２の現在位置をより特定した位置を地図上に表示させる。
【０１００】
以上が、第１の実施形態における位置情報提供システム間のデータフローの一例である。
【０１０１】
［サーバ装置２００の処理］
つづいて、上述した実施形態の位置情報提供システムにおけるサーバ装置２００の詳細な処理の一例について図４から図８を参照して説明する。ここで、図４は、第１の実施形態にかかる位置情報提供システムにおけるサーバ装置２００の詳細な処理の一例を示すフローチャートである。
【０１０２】
図４に示すように、まず、地図表示要求受信部２０２ａは、第１の端末装置１００−１から現在位置情報および識別情報とともに送信される地図表示要求を受信し、識別情報に対応付けて現在位置情報を位置情報データベース２０６ｂに格納する（ステップＳＢ−１）。なお、地図表示要求受信部２０２ａは、地図表示要求とともに受信した現在位置情報、または、単独で受信した現在位置情報を、位置情報データベース２０６ｂに識別情報に対応付けて格納してもよい。
【０１０３】
そして、領域内端末特定部２０２ｃは、地図表示要求受信部２０２ａにより地図表示要求とともに受信された識別情報に対応する、ユーザデータベース２０６ｃに記憶された関連付け情報を取得し、当該識別情報に関連付けられた他の端末装置１００の識別情報を取得する（ステップＳＢ−２）。ここでは、第２の端末装置１００−２の識別番号が関連付けられている場合について説明する。
【０１０４】
そして、地図データ取得部２０２ｂは、地図表示要求受信部２０２ａにより地図表示要求とともに受信された現在位置情報を含む地図データを第１の地図データとして地図データベース２０６ａから取得する（ステップＳＢ−３）。ここで、地図データ取得部２０２ｂは、第１の端末装置１００−１の現在位置情報のみならず、位置情報データベース２０６ｂに記憶された第２の端末装置１００−２の現在位置情報を含む地図データを取得してもよい。また、地図データ取得部２０２ｂは、受信された地図表示要求に地図の中心座標（緯度経度等）や地図の縮尺やメッシュの次元等の情報が含まれる場合、当該地図表示要求に従って地図データベース２０６ａから地図データを取得する。
【０１０５】
そして、曖昧位置情報作成部２０２ｄは、地図データ取得部２０２ｂにより取得された地図データ上で、第２の端末装置１００−２の現在位置情報をあいまいに特定する曖昧位置情報を作成する（ステップＳＢ−４）。ここで、曖昧位置情報作成部２０２ｄにより作成される曖昧位置情報を含む第１の地図データの表示画面例について、図５から図７を参照して説明する。図５は、第２の端末装置１００−２の現在位置情報による位置を含むポリゴン領域を曖昧位置情報として作成した場合の表示画面例を示す図であり、図６は、第２の端末装置１００−２の現在位置情報による位置を含むブロックのポリゴン領域を曖昧位置情報として作成した場合の表示画面例を示す図である。また、図７は、第２の端末装置１００−２の現在位置情報による位置を含む行政界のポリゴン領域を曖昧位置情報として作成した場合の表示画面例を示す図である。なお、上述のように、第１の端末装置１００−１の利用者を「Ｂさん」とし、第２の端末装置１００−２の利用者を「Ａさん」としている。
【０１０６】
図５に示すように、一例として、曖昧位置情報作成部２０２ｄは、第２の端末装置１００−２（「Ａさん」）の現在位置情報による位置を含むポリゴン領域を曖昧位置情報として作成する。この場合、表示画面を見た利用者は、実際の「Ａさん」の現在位置をポリゴン領域の中心にあるものと錯覚しやすいので「Ａさん」の実際の現在位置が推測され難いように、曖昧位置情報作成部２０２ｄは、第２の端末装置１００−２（「Ａさん」）の現在位置情報による位置が、ポリゴン領域の中心以外に位置するように、曖昧位置情報を作成してもよい。例えば、曖昧位置情報作成部２０２ｄは、ポリゴン領域の中心以外のランダムな位置を、第２の端末装置１００−２の現在位置情報による位置とする曖昧位置情報を作成する。また、曖昧位置情報作成部２０２ｄは、第１の端末装置１００−１の現在位置情報と、第２の端末装置１００−２の現在位置情報との位置関係により、ポリゴン領域の大きさを変更してもよい。すなわち、曖昧位置情報作成部２０２ｄは、「Ｂさん」と「Ａさん」の位置が近い場合にポリゴン領域を大きくして誤差を広げ、「Ａさん」の実際の現在位置が特定され難いように曖昧位置情報を作成してもよい。
【０１０７】
また、図６に示すように、曖昧位置情報作成部２０２ｄは、第２の端末装置１００−２（「Ａさん」）の現在位置情報による位置を含むブロック（道路に囲まれた領域、街区）を示すポリゴン領域を曖昧位置情報として作成してもよい。この他、曖昧位置情報作成部２０２ｄは、第２の端末装置１００−２（「Ａさん」）の現在位置情報による位置を含む行政界（例えば、市区町村等の領域）のポリゴン領域を曖昧位置情報として作成してもよい。なお、図示しないが、上述したポリゴン領域を曖昧位置情報として作成する以外にも、地図上でポリゴン領域内のランドマーク（地図上に表示される駅等の地物、駅名等の注記、駅等を表す記号等を含む。）が強調表示されるように指定する曖昧位置情報を作成してもよい。例えば、曖昧位置情報作成部２０２ｄは、地図データ上の駅等のランドマークが強調表示されるように設定するとともに、「○○さんは、この付近にいます。」等の表記が付されるよう曖昧位置情報を作成してもよい。また、曖昧位置情報作成部２０２ｄは、第１の端末装置１００−１の現在位置情報による位置から、第２の端末装置１００−２の現在位置情報による位置への方向を矢印で示す曖昧位置情報を作成してもよい。
【０１０８】
再び図４に戻り、地図データ送信部２０２ｅは、上述のように曖昧位置情報作成部２０２ｄにより作成された曖昧位置情報と第１の地図データとを共に、第１の端末装置１００−１に送信する（ステップＳＢ−５）。
【０１０９】
そして、詳細位置要求受信部２０２ｆは、第１の地図データの曖昧位置情報についての詳細位置要求を第１の端末装置１００−１から受信できたか否かを判定する（ステップＳＢ−６）。一定時間経っても詳細位置要求を受信できなかった場合は（ステップＳＢ−６：Ｎｏ）、サーバ装置２００は処理を終える。
【０１１０】
一方、詳細位置要求受信部２０２ｆにより詳細位置要求が受信された場合（ステップＳＢ−６：Ｙｅｓ）、問合せ情報送信部２０２ｇは、当該詳細位置要求に対する可否についての問合せ情報を、第２の端末装置１００−２に送信する（ステップＳＢ−７）。すなわち、問合せ情報送信部２０２ｇは、第２の端末装置１００−２の利用者であるＡさんに対して、曖昧位置情報よりも詳細な位置情報をＢさんに提供することの承認を依頼する問合せ情報を、当該第２の端末装置１００−２に送信する。なお、問合せ情報送信部２０２ｇは、受信された詳細位置要求にメッセージが格納されている場合は、当該メッセージを問合せ情報に格納して送信する。
【０１１１】
そして、回答情報受信部２０２ｈは、第２の端末装置１００−２から、問合せ情報に対する回答情報（例えば、承認可または承認不可の情報）を受信する（ステップＳＢ−８）。
【０１１２】
回答情報受信部２０２ｈにより承認不可とする回答情報が受信された場合（ステップＳＢ−９：Ｎｏ）、サーバ装置２００は処理を終える。
【０１１３】
一方、回答情報受信部２０２ｈにより承認可とする回答情報が受信された場合（ステップＳＢ−９：Ｙｅｓ）、詳細位置情報作成部２０２ｉは、第２の端末装置１００−２の現在位置情報を特定した詳細位置情報を作成する（ステップＳＢ−１０）。ここで、図８は、詳細位置情報作成部２０２ｉにより作成された詳細位置情報を含む第２の地図データの表示画面例を示す図である。
【０１１４】
図８に示すように、一例として、詳細位置情報作成部２０２ｉは、図５または図６に示した曖昧位置情報のポリゴン領域と比較して、第２の端末装置１００−２（「Ａさん」）の現在位置情報をより特定した詳細位置情報を作成する。なお、この例では、詳細位置情報作成部２０２ｉは、第２の端末装置１００−２（「Ａさん」）の現在位置情報を詳細位置情報として作成している。
【０１１５】
再び図４に戻り、地図データ送信部２０２ｅは、詳細位置情報作成部２０２ｉにより作成された詳細位置情報と第２の地図データとを共に、第１の端末装置１００−１に送信する（ステップＳＢ−１１）。
【０１１６】
以上が、第１の実施形態の位置情報提供システムにおけるサーバ装置２００の詳細な処理の一例である。なお、サーバ装置２００は、上述したステップＳＢ−１からステップＳＢ−１１の処理を繰り返し行ってもよく、例えば、最初に表示した地図上には周囲に関連付けされた利用者（例えば、Ａさん）がいない場合、第１の端末装置１００−１の利用者（Ｂさん）が再度、広域表示の地図表示要求を送信した際には、サーバ装置２００は、上述の処理を繰り返し行う。
【０１１７】
［第２の実施形態］
続いて、本発明の第２の実施形態（サーバ装置２００（サーバ主導型））について、図９および図１０を参照して以下に説明する。ここで、図９は、第２の実施形態におけるサーバ装置２００の構成の一例を示すブロック図であり、該構成のうち本発明に関係する部分のみを概念的に示している。
【０１１８】
なお、第２の実施形態においては、サーバ装置２００にて端末装置１００の表示部１１４に表示させるデータを生成し、これらのデータを端末装置１００へ送信することにより、当該端末装置１００の表示部１１４を機能させている。このように、第２の実施形態は、サーバ装置２００にてサーバ主導で処理を行う点がその他の実施形態と異なる。
【０１１９】
［サーバ装置２００（サーバ主導型）の構成］
まず、第２の実施形態におけるサーバ装置２００（サーバ主導型）の構成の一例について、図９を参照して以下に説明する。
【０１２０】
図９に示すように、本発明の第２の実施形態のサーバ装置２００は、位置取得部１１２と表示部１１４と入力部１１６とを少なくとも備えた複数の端末装置１００に通信可能に接続され、制御部２０２と記憶部２０６とを少なくとも備える。通信には、一例として、ネットワーク３００を介した有線・無線通信等の遠隔通信等を含む。また、これらサーバ装置２００および端末装置１００の各部は任意の通信路を介して通信可能に接続されている。なお、図９においては、複数の端末装置１００のうちの一の端末装置１００−１の構成について図示しているが、複数の端末装置１００のうちの他の端末装置１００−２についても同様の構成を備える。
【０１２１】
図９において、サーバ装置２００は、複数の端末装置１００のうち第１の端末装置から送信される、地図表示要求を受信し、第１の端末装置１００の現在位置情報を含む地図データを取得し、記憶した複数の端末装置の現在位置情報に基づいて、取得した地図データの領域内に当該現在位置情報による位置が含まれる、第２の端末装置を特定し、取得した地図データ上で、第２の端末装置の現在位置情報をあいまいに特定する曖昧位置情報を作成し、作成した曖昧位置情報を含む地図データに基づく表示画面を生成し、表示画面を含む表示制御情報を第１の端末装置１００に送信することにより、当該端末装置１００の表示部１１４を介して表示画面を表示させる等の機能を有する。
【０１２２】
なお、サーバ装置２００における通信制御インターフェース部２０４および記憶部２０６（地図ベース２０６ａ、位置情報データベース２０６ｂ、および、ユーザデータベース２０６ｃ等）の機能、また、端末装置１００における位置取得部１１２、表示部１１４、および、入力部１１６の機能は、第１の実施形態と同様であるため説明を省略する。
【０１２３】
また、図９において、制御部２０２は、ＯＳ等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、地図表示要求受信部２０２ａ、地図データ取得部２０２ｂ、領域内端末特定部２０２ｃ、曖昧位置情報作成部２０２ｄ、地図データ送信部２０２ｅ、詳細位置要求受信部２０２ｆ、問合せ情報送信部２０２ｇ、回答情報受信部２０２ｈ、詳細位置情報作成部２０２ｉ、現在位置情報取得部２０２ｊ、地図表示画面生成部２０２ｋ、および、表示制御部２０２ｌを備える。なお、地図データ取得部２０２ｂ、領域内端末特定部２０２ｃ、曖昧位置情報作成部２０２ｄ、詳細位置要求受信部２０２ｆ、問合せ情報送信部２０２ｇ、回答情報受信部２０２ｈ、および、詳細位置情報作成部２０２ｉの機能は、第１の実施形態と同様であるため説明を省略する。
【０１２４】
このうち、現在位置情報取得部２０２ｊは、複数の端末装置１００の現在位置情報を取得して、位置情報データベース２０６ｂに格納する現在位置情報取得手段である。ここで、現在位置情報取得部２０２ｊは、端末装置１００の位置取得部１１２にて位置発信装置５００から受信した位置情報信号を端末装置１００から受信し、当該位置情報信号から算出した位置情報を端末装置１００の現在位置情報として取得してもよい。また、現在位置情報取得部２０２ｊは、利用者により端末装置１００の入力部１１６を介して入力された現在位置についての位置座標等の位置情報を受信し、当該位置情報を端末装置１００の現在位置情報として取得してもよい。
【０１２５】
また、地図表示画面生成部２０２ｋは、地図データに基づく表示画面を生成する地図表示画面生成手段である。例えば、地図表示画面生成部２０２ｋは、曖昧位置情報作成部２０２ｄにより作成された曖昧位置情報を含む地図データに基づいて表示画面を作成してもよく、詳細位置情報作成部２０２ｉにより作成された詳細位置情報を含む地図データに基づいて表示画面を生成してもよい。なお、地図表示画面生成部２０２ｋは、更に、第１の端末装置１００の現在位置情報に基づいて、当該現在位置情報による位置を示す現在位置ポインタを含む表示画面を生成してもよい。
【０１２６】
表示制御部２０２ｌは、地図表示画面生成部２０２ｋにより生成された表示画面を含む表示制御情報を第１の端末装置１００へ送信することにより、当該端末装置１００の表示部１１４を介して当該表示画面を表示させる表示制御手段である。
【０１２７】
以上で、第２の実施形態におけるサーバ装置２００の構成の一例の説明を終える。
【０１２８】
［サーバ装置２００（サーバ主導型）の処理］
次に、このように構成された第２の実施形態におけるサーバ装置２００の処理の一例について、以下に図１０を参照して詳細に説明する。図１０は、第２の実施形態におけるサーバ装置２００の処理の一例を示すフローチャートである。なお、この処理においては、複数の端末装置１００のうちの端末装置１００−１が地図表示要求を送信することにより「第１の端末装置」として特定され、端末装置１００−２が「第２の端末装置」として特定された例について説明する。また、前提として、各端末装置１００は、位置取得部１１２にて位置発信装置５００から受信した位置情報信号、または、利用者により入力部１１６を介して入力された現在位置についての位置座標等の位置情報が更新される毎に、サーバ装置２００に送信しており、サーバ装置２００の現在位置情報取得部２０２ｊは、受信した位置情報等に基づいて取得した最新の現在位置情報を位置情報データベース２０６ｂに格納している。
【０１２９】
図１０に示すように、まず、端末装置１００は、利用者により入力部１１６を介して入力された地図表示要求をサーバ装置２００に送信する（ステップＳＣ−１）。ここで、端末装置１００は、利用者から入力部１１６を介して地図の中心座標（現在位置の緯度経度等）や地図の縮尺やメッシュの次元等の情報を含む地図表示要求を入力された場合に、地図表示要求をサーバ２００に送信してもよい。
【０１３０】
そして、サーバ装置２００の地図表示要求受信部２０２ａは、第１の端末装置１００−１から地図表示要求を受信する（ステップＳＣ−２）。その際、地図表示要求受信部２０２ａは、第１の端末装置１００−１の識別情報を取得する。
【０１３１】
そして、サーバ装置２００の地図データ取得部２０２ｂは、取得した第１の端末装置１００−１の識別情報に基づいて、位置情報データベース２０６ｂから第１の端末装置１００−１の現在位置情報を取得し、当該現在位置情報を含む地図データを地図データベース２０６ａから取得する（ステップＳＣ−３）。
【０１３２】
そして、サーバ装置２００の領域内端末特定部２０２ｃは、位置情報データベース２０６ｂに記憶された複数の端末装置１００の現在位置情報に基づいて、取得した地図データの領域内に当該現在位置情報による位置が含まれる、第２の端末装置１００−２を特定する（ステップＳＣ−４）。ここで、領域内端末特定部２０２ｃは、第１の端末装置１００−１の識別情報に対応する、ユーザデータベース２０６ｃに記憶された関連付け情報に従って、第２の端末装置とする端末装置１００を限定してもよい。すなわち、端末装置１００−２の識別情報が、第１の端末装置１００−１の識別情報と関連付けられていない場合は排除し、関連付けられている場合には第２の端末装置として採用してもよい。
【０１３３】
そして、サーバ装置２００の曖昧位置情報作成部２０２ｄは、地図データ取得部２０２ｂにより取得された地図データ上で、第２の端末装置１００−２の現在位置情報をあいまいに特定する曖昧位置情報を作成する（ステップＳＣ−５）。曖昧位置情報の例は、第１の実施形態において上述したので説明を省略する。
【０１３４】
そして、サーバ装置２００の地図表示画面生成部２０２ｋは、曖昧位置情報作成部２０２ｄにより作成された曖昧位置情報を含む地図データに基づいて表示画面を作成し、表示制御部２０２ｌは、地図表示画面生成部２０２ｋにより生成された表示画面を含む表示制御情報を第１の端末装置１００へ送信することにより（ステップＳＣ−６）、第１の端末装置１００の表示部１１４を介して当該表示画面を表示させる（ステップＳＣ−７）。なお、地図表示画面生成部２０２ｋは、更に、第１の端末装置１００の現在位置情報に基づいて、当該現在位置情報による位置を示す現在位置ポインタを含む表示画面を生成してもよい。
【０１３５】
ここで、第２の実施形態におけるステップＳＣ−８からステップＳＣ−１３までの処理は、第１の実施形態におけるステップＳＡ−３からステップＳＡ−５の処理ないしステップＳＢ−６からステップＳＢ−８の処理と同様であるため説明を省略する。
【０１３６】
そして、サーバ装置２００の詳細位置情報作成部２０２ｉは、回答情報受信部２０２ｈにより問合せ情報に対して可（承認）とする回答情報が受信された場合（ステップＳＣ−１４：Ｙｅｓ）、第２の端末装置１００の現在位置情報を特定した詳細位置情報を作成する（ステップＳＣ−１５）。なお、問合せ情報に対して承認不可とする回答情報が受信された場合は（ステップＳＣ−１４：Ｎｏ）、サーバ装置２００は、処理を終える。
【０１３７】
そして、サーバ装置２００の地図表示画面生成部２０２ｋは、詳細位置情報作成部２０２ｉにより作成された詳細位置情報を含む地図データに基づいて表示画面を作成し、表示制御部２０２ｌは、地図表示画面生成部２０２ｋにより生成された表示画面を含む表示制御情報を第１の端末装置１００へ送信することにより（ステップＳＣ−１６）、第１の端末装置１００の表示部１１４を介して当該表示画面を表示させる（ステップＳＣ−１７）。
【０１３８】
以上で、第２の実施形態におけるサーバ装置２００の処理の一例の説明を終える。なお、サーバ装置２００は、上述した処理を繰り返し行ってもよく、例えば、最初の地図表示要求よりも広域表示の地図表示要求を送信した際には、サーバ装置２００は、上述の処理を繰り返し行う。
【０１３９】
［他の実施の形態］
さて、これまで本発明の実施形態について説明したが、本発明は、上述した実施の形態以外にも、特許請求の範囲に記載した技術的思想の範囲内において種々の異なる実施の形態にて実施されてよいものである。
【０１４０】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１４１】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０１４２】
また、端末装置１００、および、サーバ装置２００に関して、図示の各構成要素は機能概念的なものであり、必ずしも物理的に図示の如く構成されていることを要しない。
【０１４３】
例えば、端末装置１００、および、サーバ装置２００の各装置が備える処理機能、特に制御部１０２および制御部２０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現することができ、あるいは、ワイヤードロジックによるハードウェアとして実現することも可能である。尚、プログラムは、後述する記録媒体に記録されており、必要に応じて端末装置１００およびサーバ装置２００に機械的に読み取られる。すなわち、ＲＯＭまたはＨＤ等の記憶部１０６および記憶部２０６等には、ＯＳとして協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１４４】
また、このコンピュータプログラムは、端末装置１００、および、サーバ装置２００に対して任意のネットワーク３００を介して接続されたアプリケーションプログラムサーバに記憶されていてもよく、必要に応じてその全部または一部をダウンロードすることも可能である。
【０１４５】
また、本発明に係るプログラムを、コンピュータ読み取り可能な記録媒体に格納してもよく、また、プログラム製品として構成することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ、Ｂｌｕ−ｒａｙ（登録商標）  Ｄｉｓｃ等の任意の「可搬用の物理媒体」、あるいは、ＬＡＮ、ＷＡＮ、インターネットに代表されるネットワーク３００を介してプログラムを送信する場合の通信回線や搬送波のように、短期にプログラムを保持する「通信媒体」を含むものとする。
【０１４６】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１４７】
記憶部１０６、および、記憶部２０６に格納される各種のデータベース等（地図データベース２０６ａ、位置情報データベース２０６ｂ、および、ユーザデータベース２０６ｃ、ならびに、地図データファイル１０６ａ等）は、ＲＡＭ、ＲＯＭ等のメモリ装置、ＨＤ等の固定ディスク装置、フレキシブルディスク、光ディスク等のストレージ手段であり、各種処理やウェブサイト提供に用いる各種のプログラムやテーブルやデータベースやウェブページ用ファイル等を格納する。
【０１４８】
また、サーバ装置２００は、既知のパーソナルコンピュータ、ワークステーション等の情報処理装置として構成してもよく、また、該情報処理装置に任意の周辺装置を接続して構成してもよい。また、サーバ装置２００は、該情報処理装置に本発明の方法を実現させるソフトウェア（プログラム、データ等を含む）を実装することにより実現してもよい。
【０１４９】
更に、装置の分散・統合の具体的形態は図示するものに限られず、その全部または一部を、各種の付加等に応じて、または、機能負荷に応じて、任意の単位で機能的または物理的に分散・統合して構成することができる。
【産業上の利用可能性】
【０１５０】
以上詳述したように、本発明によれば、他の端末装置の利用者の現在位置をあいまいに表示して、不用意に詳細な位置情報が開示されてしまうことを防止することができる位置情報提供システム、サーバ装置、端末装置、位置情報提供方法、および、プログラムを提供することができるので、ナビゲーションを支援する情報機器や情報処理分野などの様々な分野において極めて有用である。
【符号の説明】
【０１５１】
１００  端末装置
１０２  制御部
１０２ａ  現在位置情報取得部
１０２ｂ  地図表示要求送信部
１０２ｃ  地図データ受信部
１０２ｄ  地図表示部
１０２ｅ  詳細位置要求送信部
１０２ｆ  問合せ情報受信部
１０２ｇ  回答情報作成部
１０２ｈ  回答情報送信部
１０４  通信制御インターフェース部
１０６  記憶部
１０６ａ  地図データファイル
１０８  入出力制御インターフェース部
１１２  位置取得部
１１４  表示部
１１６  入力部
２００  サーバ装置
２０２  制御部
２０２ａ  地図表示要求受信部
２０２ｂ  地図データ取得部
２０２ｃ  領域内端末特定部
２０２ｄ  曖昧位置情報作成部
２０２ｅ  地図データ送信部
２０２ｆ  詳細位置要求受信部
２０２ｇ  問合せ情報送信部
２０２ｈ  回答情報受信部
２０２ｉ  詳細位置情報作成部
２０２ｊ  現在位置情報取得部
２０２ｋ  地図表示画面生成部
２０２ｌ  表示制御部
２０４  通信制御インターフェース部
２０６  記憶部
２０６ａ  地図データベース
２０６ｂ  位置情報データベース
２０６ｃ  ユーザデータベース
３００  ネットワーク
５００  位置発信装置
【図１】
2014079010.tif 000003
【図２】
2014079010.tif 000004
【図３】
2014079010.tif 000005
【図４】
2014079010.tif 000006
【図５】
2014079010.tif 000007
【図６】
2014079010.tif 000008
【図７】
2014079010.tif 000009
【図８】
2014079010.tif 000010
【図９】
2014079010.tif 000011
【図１０】
2014079010.tif 000012
【手続補正書】
【提出日】平成26年1月31日(2014.1.31)
【手続補正１】
【補正対象書類名】特許請求の範囲
【補正対象項目名】請求項４
【補正方法】変更
【補正の内容】
【請求項４】
請求項１から３のいずれか一つに記載の位置情報提供システムにおいて、
上記サーバ装置の上記制御部は、
上記第１の上記端末装置から送信される、上記地図データ送信手段により送信された上記地図データの上記曖昧位置情報についての詳細位置要求を受信する詳細位置要求受信手段と、
上記詳細位置要求受信手段により上記詳細位置要求が受信された場合に、当該詳細位置要求に対する可否についての問合せ情報を、上記第２の上記端末装置に送信する問合せ情報送信手段と、
上記第２の上記端末装置から送信される、上記問合せ情報に対する回答情報を受信する回答情報受信手段と、
上記回答情報受信手段により上記詳細位置要求に対して可とする上記回答情報が受信された場合に、上記第２の上記端末装置の上記現在位置情報を特定した詳細位置情報を作成する詳細位置情報作成手段と、
を備え、
上記地図データ送信手段は、上記詳細位置情報と上記地図データとを共に、上記第１の上記端末装置に送信し、
上記第１の上記端末装置の上記制御部は、
上記詳細位置要求を上記サーバ装置に送信する詳細位置要求送信手段、
を更に備え、
上記第２の上記端末装置の上記制御部は、
上記サーバ装置から送信される、上記問合せ情報を受信する問合せ情報受信手段と、
上記問合せ情報受信手段により受信された上記問合せ情報に対する上記回答情報を作成する回答情報作成手段と、
上記回答情報作成手段により作成された上記回答情報を上記サーバ装置に送信する回答情報送信手段と、
を更に備えたことを特徴とする、位置情報提供システム。